(57)【要約】【課題】原稿を原稿積載部に積載するときの作業効率を向上させることができる原稿搬送補助装置を提供する。【解決手段】原稿搬送補助装置１００は、ＡＤＦ５のカード挿入口７に向けて搬送されるカードＣを積載するカード積載部１１２と、カード積載部１１２のカード積載部１１２の載置面１０５に向けてカードＣを加圧する加圧機構１０１と、カードＣを搬送する原稿搬送機構１６０とを備えている。そして、原稿搬送補助装置１００は、ＡＤＦ５によるカード搬送を補助する。加圧機構１０１を移動させて上方が露出したカード積載部１１２の載置面１０５上にカードＣが積載される。【選択図】図１０
2019163126.tif 000002
【特許請求の範囲】
【請求項１】
自動原稿搬送装置の給送口に向けて搬送される原稿を積載する原稿積載部と、該原稿積載部の原稿載置面に向けて原稿を加圧する加圧機構と、原稿を搬送する搬送手段とを備え、前記自動原稿搬送装置による原稿搬送を補助する原稿搬送補助装置において、
前記加圧機構を移動させて上方が露出した前記原稿載置面上に原稿が積載されることを特徴とする原稿搬送補助装置。
【請求項２】
請求項１に記載の原稿搬送補助装置において、
前記搬送手段は、原稿搬送方向の原稿後端部の少なくとも一部分に原稿搬送方向の力を伝達することを特徴とする原稿搬送補助装置。
【請求項３】
請求項１又は２に記載の原稿搬送補助装置において、
前記搬送手段は、原稿を押出す原稿搬送機構と原稿搬送用レバーとを有しており、
前記原稿搬送用レバーの動きに、前記原稿搬送機構の動きが連動することで、原稿搬送方向の原稿後端部に力を与えることを特徴とする原稿搬送補助装置。
【請求項４】
請求項３に記載の原稿搬送補助装置において、
前記原稿搬送用レバーは、当該原稿搬送補助装置を原稿搬送時に操作する操作者側に突出するように設けられていることを特徴とする原稿搬送補助装置。
【請求項５】
請求項３又は４に記載の原稿搬送補助装置において、
前記搬送手段は、前記原稿搬送用レバーと前記原稿搬送機構をホームポジションに自動で戻す、弾性部材を有することを特徴とする原稿搬送補助装置。
【請求項６】
請求項５に記載の原稿搬送補助装置において、
前記弾性部材は、圧縮バネであることを特徴とする原稿搬送補助装置。
【請求項７】
請求項５又は６に記載の原稿搬送補助装置において、
原稿搬送方向に直交する原稿幅方向における、原稿搬送時に移動する前記搬送手段の構成部品の重心位置と、前記弾性部材による弾性力の作用線の位置とは、略一致することを特徴とする原稿搬送補助装置。
【請求項８】
請求項３乃至７のいずれか一に記載の原稿搬送補助装置において、
前記原稿搬送用レバー及び前記原稿搬送機構の移動を原稿搬送方向に規制するガイド部を有することを特徴とする原稿搬送補助装置。
【請求項９】
請求項８に記載の原稿搬送補助装置において、
前記原稿搬送用レバー及び前記原稿搬送機構と、前記ガイド部の摺動部はＰＯＭ材料で構成されていることを特徴とする原稿搬送補助装置。
【請求項１０】
請求項１乃至９のいずれか一に記載の原稿搬送補助装置において、
原稿を搬出する搬出口を開閉する開閉部材を設けた開閉機構を有し、
前記開閉部材は、前記原稿載置面に向かって、弾性部材の弾性力で付勢されていることを特徴とする原稿搬送補助装置。
【請求項１１】
請求項１０に記載の原稿搬送補助装置において、
前記開閉機構は、原稿搬送方向に直交する原稿幅方向の中心位置に対して、前記開閉部材を付勢する複数の弾性部材が略対称に配置されていることを特徴とする原稿搬送補助装置。
【請求項１２】
請求項１０又は１１に記載の原稿搬送補助装置において、
前記弾性部材は、圧縮ばねであることを特徴とする原稿搬送補助装置。
【請求項１３】
請求項１０乃至１２のいずれか一に記載の原稿搬送補助装置において、
原稿搬送方向に直交する原稿幅方向における、前記開閉機構の中心位置と原稿の中心位置は略一致することを特徴とする原稿搬送補助装置。
【請求項１４】
請求項１０乃至１３のいずれか一に記載の原稿搬送補助装置において、
前記開閉機構は、前記開閉部材の摺動部、及び前記開閉部材を弾性部材による付勢方向にガイドするガイド部材の摺動部の少なくとも一部はＰＯＭ材料で構成されていることを特徴とする原稿搬送補助装置。
【請求項１５】
請求項１乃至１４のいずれか一に記載の原稿搬送補助装置において、
前記加圧機構の原稿を加圧する加圧面は、積載されている原稿の最上面に当接し、且つ積載されている原稿の厚さに応じて原稿の厚さ方向に移動可能であることを特徴とする原稿搬送補助装置。
【請求項１６】
請求項１５に記載の原稿搬送補助装置において、
前記加圧機構は、原稿を加圧する加圧力として圧縮ばねの弾性力を用いることを特徴とする原稿搬送補助装置。
【請求項１７】
請求項１５又は１６に記載の原稿搬送補助装置において、
前記加圧機構の前記加圧面が原稿を加圧するときの加圧力の合力の作用線と、前記原稿積載部に積載された原稿の重心位置とが略一致することを特徴とする原稿搬送補助装置。
【請求項１８】
請求項１５乃至１７のいずれか一に記載の原稿搬送補助装置において、
前記加圧機構は、加圧機能を有する少なくとも１つの加圧部品と、前記加圧部品の変位方向を原稿の厚さ方向に規制するガイド部を有しており、前記加圧部品と前記ガイド部の摺動部分はＰＯＭ材料で構成されていることを特徴とする原稿搬送補助装置。
【請求項１９】
請求項１５乃至１８のいずれか一に記載の原稿搬送補助装置において、
前記加圧機構は、原稿を加圧する加圧モードと、原稿載置面を原稿の厚さ方向に伸ばした空間の外に位置する非加圧モードの２つのモードを有することを特徴とする原稿搬送補助装置。
【請求項２０】
請求項１９に記載の原稿搬送補助装置において、
当該原稿搬送補助装置を操作する操作者が、前記加圧機構を、原稿載置面を原稿の厚さ方向に伸ばした空間の外に配置された回動軸を中心に回動させることで、前記加圧モードから、前記非加圧モードに切り替かることを特徴とする原稿搬送補助装置。
【請求項２１】
請求項２０に記載の原稿搬送補助装置において、
前記加圧機構は、前記加圧モードの状態から、ねじりコイルばねの反力で回動して前記非加圧モードの状態に切り替わることを特徴とする原稿搬送補助装置。
【請求項２２】
請求項１９乃至２１のいずれか一に記載の原稿搬送補助装置において、
前記加圧モードへの移行は、弾性部材からできた前記加圧機構の外形部に形成した被保持部が変形して、加圧機構固定用の凹部又は凸部に保持されることで行われることを特徴とする原稿搬送補助装置。
【請求項２３】
請求項１９乃至２２のいずれか一に記載の原稿搬送補助装置において、
前記加圧機構固定用の凹部又は凸部に保持された前記被保持部の一部に、保持解除用部品を当接させて前記被保持部を変形させることで前記加圧モードが解除され、前記非加圧モードに切り替わることを特徴とする原稿搬送補助装置。
【請求項２４】
請求項２２又は２３に記載の原稿搬送補助装置において、
前記被保持部は、ＡＢＳ樹脂から構成されていることを特徴とする原稿搬送補助装置。
【請求項２５】
請求項１乃至２４のいずれか一に記載の原稿搬送補助装置において、
前記原稿積載部の前記原稿載置面上に積載された原稿の近くに孔部が形成されており、前記孔部の底面側から、原稿底面部の少なくとも一部が露出していることを特徴とする原稿搬送補助装置。
【請求項２６】
請求項２５に記載の原稿搬送補助装置において、
前記孔部の原稿搬送方向の中央位置は、積載する原稿位置の原稿搬送方向の中央位置と略一致する、又は前記原稿底面部に沿った前記孔部の原稿搬送方向に直交する原稿幅方向の中央位置は、積載する原稿位置の前記原稿幅方向の中央位置と略一致することを特徴とする原稿搬送補助装置。
【請求項２７】
請求項５乃至２６のいずれか一に記載の原稿搬送補助装置において、
前記原稿搬送用レバーと前記原稿搬送機構をホームポジションに自動で戻す、弾性部材を有し、
前記原稿搬送用レバーの最大ストローク量と原稿の原稿搬送方向長さの和から、積載時の原稿搬送方向の原稿後端位置から、前記自動原稿搬送装置の搬送経路上で前記給送口に最も近い搬送ローラのニップ位置までの距離を引いた値が正であり、その値だけ原稿に搬送方向の力を与える部品が搬送方向と逆方向に退避することができ、その退避量は緩衝用に設ける弾性体の弾性領域内であることを特徴とする原稿搬送補助装置。
【請求項２８】
請求項１乃至２７のいずれか一に記載の原稿搬送補助装置において、
前記原稿積載部の原稿を積載する空間を囲む内壁は、原稿搬送方向に直交する原稿幅方向、又は原稿搬送方向の内の少なくともいずれかに平行で互いに対向する内壁の間隔が、原稿の厚さ方向に高くなる程広がるように構成されていることを特徴とする原稿搬送補助装置。
【請求項２９】
請求項１乃至２８のいずれか一に記載の原稿搬送補助装置において、
前記原稿積載部の原稿を積載する空間を原稿搬送方向に直交する原稿幅方向に囲む内壁間の距離は、前記原稿幅方向の原稿の長さと略一致することを特徴とする原稿搬送補助装置。
【請求項３０】
請求項１乃至２９のいずれか一に記載の原稿搬送補助装置において、
前記原稿積載部の原稿を積載する部分よりも原稿搬送方向下流側に設けた原稿搬送部の端部近傍の部分を、前記自動原稿搬送装置の前記給送口近傍の部分に対して凹部と凸部の形状の嵌め合いで位置決めし、且つネジで前記自動原稿搬送装置に取り付けることを特徴とする原稿搬送補助装置。
【請求項３１】
請求項１乃至３０のいずれか一に記載の原稿搬送補助装置において、
前記自動原稿搬送装置に対して着脱可能に構成されていることを特徴とする原稿搬送補助装置。
【請求項３２】
搬送経路の中途部近傍に設けられた給送口に向けて原稿を搬送する原稿搬送補助手段を備える自動原稿搬送装置において、
前記原稿搬送補助手段として、請求項１乃至３１のいずれか一に記載の原稿搬送補助装置を備えることを特徴とする自動原稿搬送装置。
【請求項３３】
搬送経路の中途部近傍に設けられた給送口に向けて原稿を搬送する原稿搬送補助手段を備えた原稿読取装置において、
前記原稿搬送補助手段として、請求項１乃至３１のいずれか一に記載の原稿搬送補助装置を備えることを特徴とする原稿読取装置。
【請求項３４】
搬送経路の中途部近傍に設けられた給送口に向けて原稿を搬送する原稿搬送補助手段を備える画像形成装置において、
前記原稿搬送補助手段として、請求項１乃至３１のいずれか一に記載の原稿搬送補助装置を設ける自動原稿搬送装置を備えることを特徴とする画像形成装置。
【発明の詳細な説明】
【技術分野】
【０００１】
本発明は、原稿搬送補助装置、自動原稿搬送装置、原稿読取装置、及び画像形成装置に関するものである。
【背景技術】
【０００２】
従来から、自動原稿搬送装置の給送口に向けて搬送される原稿を積載する原稿積載部と、原稿積載部の原稿載置面に向けて原稿を加圧する加圧機構と、原稿を搬送する搬送手段とを備え、自動原稿搬送装置による原稿搬送を補助する原稿搬送補助装置が知られている。
例えば、特許文献１には、カードなどの折り曲げにくい原稿を搬送可能で、原稿搬送補助装置に適用可能な、次のような搬送積載装置（カード処理装置）が記載されている。
【０００３】
原稿（カード）を原稿積載部（カードスタッカ）に積載（収容）するための給送口と、原稿を外部に搬出する搬出口とを兼用する給送排出口（カード挿入排出口）を備え、原稿搬送面から原稿の厚さ方向に重ねるようにして原稿を原稿積載部に積載するものである。
また、原稿搬送面に対して接離方向に移動可能な原稿押上げ部材と、これを原稿搬送面に向けて付勢する付勢部材と、原稿搬送面から原稿押上げ部材に側へ少なくとも原稿１枚分の厚さだけ突出した原稿押下げ位置までの間を移動可能な押下げ部材とを備えている。
そして、押下げ部材が突出すると、積載した原稿と原稿搬送面との間に、給送排出口側から原稿を送り込むための隙間が形成されるように構成されている。
このように構成することで、積載済みの原稿を原稿搬送面から離れる方向に退避させる機構を少ない部品点数で構成でき、その設置スペースも少なくて済むので、搬送積載装置の小型化に極めて有利であるとされている。
【発明の概要】
【発明が解決しようとする課題】
【０００４】
しかしながら、従来の搬送積載装置の構成を適用した原稿搬送補助装置では、原稿を原稿積載部に積載するときの作業効率が悪いという問題があった。
【課題を解決するための手段】
【０００５】
上述した課題を解決するために、請求項１に記載の発明は、自動原稿搬送装置の給送口に向けて搬送される原稿を積載する原稿積載部と、該原稿積載部の原稿載置面に向けて原稿を加圧する加圧機構と、原稿を搬送する搬送手段とを備え、前記自動原稿搬送装置による原稿搬送を補助する原稿搬送補助装置において、前記加圧機構を移動させて上方が露出した前記原稿載置面上に原稿が積載されることを特徴とする。
【発明の効果】
【０００６】
本発明によれば、原稿を原稿積載部に積載するときの作業効率を向上させることができる原稿搬送補助装置を提供できる。
【図面の簡単な説明】
【０００７】
【図１】一実施形態に係る複写機の概略構成図。
【図２】画像形成装置に備えた読取装置の基本構成の概略構成図。
【図３】カード挿入口、及び手差しトレイの説明図。
【図４】原稿搬送補助装置を設けずにカードをカード挿入口や手差しトレイにユーザが手動で載置しつつ搬送する構成の説明図。
【図５】原稿搬送補助装置に適用可能な、従来の搬送積載装置の不具合の説明図。
【図６】実施例１に係る、ユーザがＡＤＦに取り付けられた原稿搬送補助装置にカードを載置して、手動で搬送する構成の斜視説明図。
【図７】原稿搬送補助装置をＡＤＦに取り付けた断面説明図。
【図８】ＡＤＦに取り付けた原稿搬送補助装置からのカード搬送の説明断面図。
【図９】原稿搬送補助装置の基本的な構成と、ＡＤＦとの位置関係についての説明図。
【図１０】原稿搬送補助装置によるカードの搬送手順の説明図。
【図１１】積載ケースに設けたカードの底面へのアクセス用の孔部の説明図。
【図１２】加圧機構の概要についての説明図。
【図１３】加圧機構でカード又はカード束を加圧するときの手順の説明図。
【図１４】カードを搬送するときの操作の流れについての説明図。
【図１５】原稿搬送補助装置によるカードＣの分離機構の説明図。
【図１６】複数枚のカードを積載したときの２枚目のカードに発生する力の説明図。
【図１７】押出面がカード後端部を押し出すことでカードが搬送される状態を示した図。
【図１８】カード搬送用レバーと、カード後端押出部品が連動して動く様子を示した図。
【図１９】カード搬送用レバーとユーザの立ち置の位置関係の説明図。
【図２０】カード搬送用レバーのストロークＭＡＸ時に、弾性部材によってカード搬送用レバー及び原稿搬送機構がホームポジションに自動で戻る様子を示した図。
【図２１】弾性部材による作用線と、カードＣを搬送する可動部品の主走査方向重心位置の位置関係の説明図。
【図２２】カード搬送用レバー及び原稿搬送機構の移動をカード搬送方向に規制してガイドするガイド部の説明図。
【図２３】ゲート部品を閉じた状態の開閉機構の状態説明図。
【図２４】ゲート部品を開いた状態の開閉機構の状態説明図。
【図２５】カード搬送時にゲート部品が閉じた状態から開いた状態に変化するときの説明図。
【図２６】開閉機構の主走査方向の中心位置と圧縮バネの位置の説明図。
【図２７】カードの主走査方向中心位置と開閉機構の主走査方向中心位置の説明図。
【図２８】加圧機構の加圧力の合力のベクトル位置とカード重心位置の説明図。
【図２９】加圧機構の加圧モードと、非加圧モードの説明図。
【図３０】加圧モードから、加圧機構を回動させて非加圧モードに切り替える構成の説明図。
【図３１】加圧モードの加圧機構が、被保持部１８１によって保持されている状態の説明図。
【図３２】加圧機構の被保持部を押圧することで、加圧機構を加圧モードから非加圧モードに移行させる構成の説明図。
【図３３】加圧機構解除ボタンを押すことで、加圧機構の加圧モードが解除されるまでの説明図。
【図３４】カード底面（原稿底面部）の一部が見えるように開けた孔部の説明図。
【図３５】孔部の副走査方向中心位置と積載したカードＣの副走査方向中心位置の説明図。
【図３６】カード搬送機構の説明図。
【図３７】積載ケースをＡＤＦ本体に装着したときの断面説明図。
【図３８】ＡＤＦの搬送コロと、搬送するカードの衝突についての説明図。
【図３９】テーパ形状を有するカード積載部の内壁の説明図。
【図４０】テーパ形状を有さないカード積載部の例の説明図。
【発明を実施するための形態】
【０００８】
以下、本発明を適用した原稿搬送補助装置１００を取り付けた自動原稿搬送装置（以下、単に「ＡＤＦ」とも称する。）を備えた画像形成装置として、電子写真方式の複写機（以下、複写機１という）の一実施形態について説明する。
図１は、本実施形態に係る複写機１の概略構成図である。
本実施形態の複写機１は、主に、画像形成部３と、画像読取部４と、ＡＤＦ５とから構成されている。本実施形態の読取装置６は、主に、画像読取部４とＡＤＦ５とから構成されている。
【０００９】
本実施形態の画像形成部３は、例えば、潜像形成手段としての露光ユニットと、複数の潜像担持体としての感光体ドラムと、シアン（Ｃ）、マゼンタ（Ｍ）、イエロー（Ｙ）、ブラック（Ｋ）の４色のトナーを用いる現像装置と、中間転写部と、二次転写部と、定着部などを備えた電子写真方式の画像形成装置である。なお、インクジェット方式などの他の方式の画像形成装置であっても良い。
【００１０】
画像形成部３は、読取装置６の画像読み取りによって得られる画像データや、パソコン等の外部装置から送信される画像データに基づき、例えば、露光ユニットによって各色の感光体ドラムを露光して各感光体ドラム上に静電潜像を形成し、各色の現像装置で各感光体ドラム上の潜像にトナーを供給して現像する。また、画像形成部３は、各色の感光体ドラム上のトナー像を中間転写部の中間転写ベルトに互いが重なるように一次転写した後、二次転写部で記録材である記録紙上に二次転写し、定着部で記録紙上のトナー像を加熱及び加圧して定着させ、カラー画像を形成する。
【００１１】
図２は、画像形成装置に備えた読取装置６の基本構成の概略構成図である。そして、図２（ａ）がフラットベッドスキャナモードと、ＤＦスキャナモードの原稿トレイ５１（原稿テーブル）上に積載された原稿束を読み取る１パス両面同時読取の概要説明図、図２（ｂ）がＤＦスキャナモードの１パス両面同時読取の概要説明図である。
読取装置６は、自動搬送中に原稿画像を読み取るＤＦスキャナモード（搬送原稿読取りモード）と、平坦なコンタクトガラス上に載置された原稿の画像を読み取るフラットベッドスキャナモード（載置原稿読取りモード）とに切替え可能に構成されている。
また、ＤＦスキャナモードには、原稿トレイ５１上に積載された原稿束を読み取る１パス両面同時読み取りと、手差しトレイ（手差しテーブル）６１上に積載（載置）したカード原稿等（以下、適宜、カードＣという。）の折り曲げられないシート原稿Ｓを搬送するストレート搬送して読み取るストレート１枚手差し読み取りがある。
【００１２】
フラットベッドスキャナモードにおいて、画像読取部４は、フラットベッドコンタクトガラス４１上の原稿（例えば原稿シート、厚紙、本等）の画像面に光を照射して、その画像面からの反射光を画像信号に変換することにより原稿画像を読み取ることができる。
ここで、原稿画像を読み取るときには、図中左よりに移動している表面読取用ＣＩＳ４５ａがフラットベッドコンタクトガラス４１下をガイド４６にガイドされて移動することで読み取りが行われる。
【００１３】
また、ＤＦスキャナモードの、シート載置台である原稿トレイ５１上に積載された原稿束を読み取る１パス両面同時読取においては、次のように読取が行われる。
ＡＤＦ５は、エンドフェンスにより幅方向が規制された原稿トレイ５１上に積載された原稿束からシート原稿Ｓを１枚ずつ、第一給送口５２の入口に配置された給紙・分離機構５４で分離して原稿搬送経路５５内に搬入し、原稿搬送経路５５に沿って搬送する。そして、その搬送中、シート原稿Ｓの表面側が、その搬送方向の上流側部分から順次部分的に画像読取部４の表面側コンタクトガラス４２ａに対面し、表面読取用ＣＩＳ４５ａにより読み取られるようになっている。一方、シート原稿Ｓの裏面側が、その搬送方向の上流側部分から順次部分的に画像読取部４の裏面側コンタクトガラス４２ｂに対面し、裏面読取用ＣＩＳ４５ｂにより読み取られる。
【００１４】
具体的には、まず、原稿トレイ５１に原稿を載置し、シート原稿Ｓを第一センサ５３が検知する。操作パネル２００でスキャンを選択することで給紙・分離機構５４により原稿トレイ５１に載置された原稿から最上位のシート原稿Ｓが呼び出され、シート原稿Ｓは１枚に分離されローラで搬送される。第一原稿搬送機構２０３及び第二原稿搬送機構２０４で原稿が搬送されつつ、表面読取用ＣＩＳ４５ａと裏面読取用ＣＩＳ４５ｂで画像が読取られ、第三原稿搬送機構２０５で搬送され、最終的に排紙トレイ５６上に原稿が排紙される。
【００１５】
一方、ＤＦスキャナモードの、手差しトレイ６１上に積載したカードＣ等の折り曲げられないシート原稿Ｓを搬送するストレート搬送して読み取るストレート１枚手差し読取においては、次のように読取が行われる。
ＡＤＦ５は、原稿搬送経路５５の中途部近傍に開閉可能に設けられた手差しトレイ６１上に積載されたカードＣ等の折り曲げられないシート原稿Ｓを手差し給送口６２から手差し原稿搬送経路６４内に搬入し、手差し原稿搬送経路６４（原稿搬送経路５５の中途部の原稿搬送方向下流側の略同一平面上にあるストレート部分）に沿って搬送する。そして、その搬送中、シート原稿Ｓの表面側が、その搬送方向の上流側部分から順次部分的に画像読取部４の表面側コンタクトガラス４２ａに対面し、表面読取用ＣＩＳ４５ａにより読み取られるようになっている。一方、シート原稿Ｓの裏面側が、その搬送方向の上流側部分から順次部分的に画像読取部４の裏面側コンタクトガラス４２ｂに対面し、裏面読取用ＣＩＳ４５ｂにより読み取られる。
【００１６】
具体的には、まず、手差しトレイ６１上の原稿を手差し給送口６２に挿入することで手差し検知センサ６３が原稿を検知する。その約１秒後に第二原稿搬送機構２０４のローラが微小量回転し、原稿がニップ部で挟持され、原稿がプレフィードされる。そして、操作パネル２００でスキャンを選択することで第二原稿搬送機構２０４が回転し原稿を送る。表面読取用ＣＩＳ４５ａと裏面読取用ＣＩＳ４５ｂで原稿の両面が読取られた後、第三原稿搬送機構２０５で原稿が搬送され、排紙トレイ５６上に原稿が排紙される。
また、手差しトレイ６１には、図１の斜視図に示すように手差しトレイ６１を閉じた状態でもカードＣ等を挿入するためのカード挿入口７を設けており、手差しトレイ６１を開けなくてもカードＣ等を搬送することが可能に構成されている。
【００１７】
ここで、病院で診察券の更新や診察券の新規発行の際に患者が列をなして並ぶほど混雑することがよくあり、混雑解消のため病院側で診察券や身分証明書等、複数のプラスチックカード（以下、カード）を短い時間でスキャンしたいというニーズがある。このようなニーズがあるにも関わらず、従来のＡＤＦではユーザが１枚ずつ原稿を手差し入口にカードを挿入し、１回スキャンするごとに「スキャンスタートボタン」を押さなければならず、複数のカードを短い時間でスキャンできないという問題があった。
ドキュメントスキャナであれば５枚程度であればカードを連続スキャンできる機種もあるが、５枚程度では効果が薄いと考えられるとともに、ドキュメントスキャナはスキャン機能しか有しておらず、ＡＤＦの機能を持ち合わせいるとはいい難い。
つまり、従来のＡＤＦをでは十分に多い枚数のカードを短い時間でスキャンできないという問題があった。
【００１８】
そして、特に医療系業務での、診察券や身分証明書などのプラスチックカードのスキャンのニーズを受け、発明者は、次の２つのコンセプトで開発を行っていた。
（１）「ストレート１枚手差し通紙」機能
大事な原稿を曲げずにスキャンできる。つまり、原稿搬送時に手差しトレイのサイドフェンスを用いることで原稿が傾くことなくスキャンできる点。
（２）「１パス両面同時読取」機能
曲がらない原稿でも、フラットベッドコンタクトガラスを露出させるために圧板を開けずに、１回で両面スキャンできる点。
【００１９】
ここで、上記「（１）」に関して、従来の構成を、図を用いて説明しておく。
図３は、カード挿入口７、及び手差しトレイ６１の説明図であり、図３（ａ）がカード挿入口７の説明図、図３（ｂ）が手差しトレイ６１の説明図である。図４は、原稿搬送補助装置１００を設けずにカードＣをカード挿入口７や手差しトレイ６１にユーザが手動で載置しつつ搬送する構成の説明図である。そして、図４（ａ）がカード挿入口７にユーザが手動でカードＣをカード挿入口７に挿入（搬送）する構成の説明図、図４（ｂ）が手差しトレイ６１にユーザが手動でカードＣを載置して搬送する構成の説明図である。
【００２０】
カードＣ等をスキャンする従来の方法には次の二通りがある。
（１−１）
図３（ａ）に示すように手差しトレイ６１を開けずに、カードＣを手差しトレイ６１に設けたカード挿入口７に挿入する方法であり、図４（ａ）に示すようにユーザが手動でカードＣをカード挿入口７に挿入（搬送）する。
（１−２）
図３（ｂ）に示すように、手差しトレイ６１を開けて、サイドフェンスを原稿の大きさに調整してからカードＣを挿入口に挿入する方法であり、図４（ｂ）に示すようにユーザが手動で手差しトレイ６１にカードＣを載置して搬送する。
【００２１】
しかし、図３を用いて説明したいずれの方法でも、十分に多い枚数のカードＣを短い時間でスキャンできないという問題は解決できない。
そこで、特許文献１に記載された搬送積載装置（カード処理装置）の構成を適用した原稿搬送補助装置１００ａをカード挿入口７に接続した場合、十分に多い枚数のカードを短い時間でスキャンできるものの、次のような問題が生じることが分かった。
従来の搬送積載装置の構成を適用した原稿搬送補助装置１００ａでは、カードＣ’をカード積載部１１２ａに積載するときの作業効率が悪いという問題があった。
また、原稿搬送補助装置１００ａがＡＤＦ５本体と干渉してしまい、安定してカードを給送できないおそれがある。また、原稿搬送補助装置１００ａ自体が大型化し易いため、本来、原稿搬送路が下流側程高くなっているＡＤＦ５への着脱には向いていない。
【００２２】
上述したような問題が生じる理由について、図５を用いて説明する。
図５は、従来の構成を適用した場合の原稿搬送補助装置１００ａの不具合の説明図であり、図５（ａ）は、カードＣ’をカード積載部１１２ａに積載するときの作業効率が低下してしまう理由の説明図、図５（ｂ）は、ＡＤＦ５本体と干渉する理由についての説明図である。
ここで、図５（ａ）、図５（ｂ）に示した構成、符号、及び原稿搬送補助装置１００ａの説明に用いる部材名称等は、特許文献１で使用されているものとは異ならせている。
【００２３】
図５（ａ）に示すように、原稿搬送補助装置１００ａは、カードＣ’をカードスタッカに収容するための給送口と、原稿を外部に搬出する搬出口とを兼用するカード挿入排出口１１５ａを備えている。そして、カード搬送面からカードＣ’の厚さ方向に重ねるようにしてカードＣ’をカード積載部１１２ａに積載するものである。
また、カード搬送面に対して接離方向に移動可能な加圧板１１８ａと、これをカード搬送面に向けて付勢する加圧機構１０１ａを備えている。また、カード搬送面からカード押上げ部材に側へ少なくとも原稿１枚分の厚さだけ突出したカード押下げ位置までの間を移動可能な押下げ部材１９７ａ、１９７ｂも備えている。
【００２４】
そして、押下げ部材１９７ａ、１９７ｂが突出すると、積載したカードＣ’とカード搬送面との間に、カード挿入排出口１１５ａ側からカードＣ’を送り込むための隙間が形成されるように構成されている。
このように構成することで、積載済みのカードＣ’をカード搬送面から離れる方向に退避させる機構を少ない部品点数で構成でき、その設置スペースも少なくて済むので、搬送積載装置の小型化に極めて有利であるとされている。
しかし、原稿搬送補助装置１００ａでは、積載済みのカードＣ’をカード搬送面から離れる方向に退避させた後に新たなカードＣ’を積載するので、カード積載部１１２ａにカードＣ’を１枚ずつしか積載することができない。
また、カード積載部１１２ａに積載するための給送口と、原稿を外部に搬出する搬出口とを兼用しているので、カードＣ’をカード積載部１１２ａに積載するたびに、ＡＤＦ５から取り外してカードＣ’をカード積載部に積載しなければならない。
これらのため、従来の搬送積載装置の構成を適用した原稿搬送補助装置１００ａでは、カードＣ’をカード積載部１１２ａに積載するときの作業効率が悪いという問題があった。
【００２５】
また、図５（ａ）に示すように、原稿搬送補助装置１００ａは、カードＣ’を搬送するための搬送ローラ１９０ａ、対向ローラ１９１ｂ、押し出し爪１９３ａ、押下げ部材１９７ａ、１９７ｂ等を駆動するための駆動源を、その筐体１９５内に設けている。
このため、原稿搬送補助装置１００ａ自体の重量が重くなったり、大型化したりするとともに、カードＣ’を多数枚積載した場合には、図５（ｂ）に示すように、ＡＤＦ５に接続したときに、ＡＤＦ５から離れた側に重心Ｇが偏ってしまう。
【００２６】
具体的には、カードＣ’を搬送するＡＤＦ５の構成に着脱可能な構成にした場合は、カードＣ’をカード挿入排出口１１５ａからカード積載部１１２ａまでの距離があるため、その重心がカードＣ’を積載するためカード積載部１１２ａ側になってしまう。つまり、ＡＤＦ５側から離れた側に重心がくる。
このように離れると、ＡＤＦ５の搬送経路は下流側程高くなるように傾斜したストレート状であるため、カード積載部１１２ａにひっぱられ装置の略全体が下側に位置するようになり、モーメントによってＡＤＦ５本体に干渉するようになってしまう。更に、安定してカードを給送できないおそれもある。
以下、上述した従来の搬送積載装置の構成を適用した原稿搬送補助装置１００ａの問題を解決するための構成について、複数の実施例を挙げて説明する。
【００２７】
（実施例１）
まず、本実施形態のＡＤＦ５（読取装置６）の原稿搬送経路５５の中途部近傍に設けられたカード挿入口７に向けてカードＣを搬送する原稿搬送補助装置１００の実施例１について、図を用いて説明する。
図６は、本実施例に係る、ユーザがＡＤＦ５に取り付けられた原稿搬送補助装置１００にカードＣを載置して、手動で搬送する構成の斜視説明図である。そして、図６（ａ）が原稿搬送補助装置１００に設けたカード積載部１１２の載置面にカードＣを載置する前の説明図、図６（ｂ）がカード積載部１１２の載置面にカードＣを載置して加圧した後にユーザが搬送するときの説明図である。図７は、原稿搬送補助装置１００をＡＤＦ５に取り付けた断面説明図、図８は、ＡＤＦ５（読取装置６）に取り付けた原稿搬送補助装置１００からのカード搬送の説明断面図である。
【００２８】
図６（ａ）、図６（ｂ）の斜視説明図に示すように、本実施例の原稿搬送補助装置１００は、ＡＤＦ５の手差しトレイ６１を閉じた状態のカード挿入口７と、カードの搬位置（搬出口１１５）との位置が一致するようにＡＤＦ５（手差しトレイ６１）に取り付けられる。
そして、図６（ａ）に示すように、取り付けられた状態の原稿搬送補助装置１００の加圧機構１０１を積載ケース１０２から回動するようにして開き、カードＣを積載するカード積載部１１２の載置面を露出させ、所望する枚数のカードＣを積載する。その後、加圧機構１０１を回動させて閉じてカードＣを加圧した後、ユーザが最下方に積載されたカードＣを搬送させるためにカード搬送用レバー１１１（カード後端押出部品１１３）をＡＤＦ５側にスライドさせる。
【００２９】
また、このようにしてカードＣを搬送するとき、図７に示すように閉じた手差しトレイ６１のカード挿入口７が、原稿搬送補助装置１００でカードＣを搬送する給送口となる。
また、図７、図８に示すように、ＡＤＦ５（カード挿入口７）に取り付けられた原稿搬送補助装置１００の積載ケース１０２は、搬送経路下流に従い高くなるように傾斜した略直線形状の搬送経路を有する。積載ケース１０２はこの搬送経路入口に、カードＣを連続的に搬送できる機能を有するため、図７、図８に示すように原稿搬送補助装置１００はＡＤＦ５の手差し原稿搬送経路６４と同様の傾斜を持つ直線形状の搬送経路を有している。
そして、原稿搬送補助装置１００の搬出口１１５の位置と（図９参照）、ＡＤＦ５の手差しトレイ６１を閉じた状態の搬送入口であるカード挿入口７の位置とが一致するように取り付けられる。
【００３０】
また、詳しくは後述するが、本実施例の原稿搬送補助装置１００には、図８に示すように、カード積載部１１２の載置面１０５に載置されたカードＣを搬出口１１５やカード挿入口７に向けて搬送する搬送力により開閉するゲート部品１２０に２つの面を設けている。
具体的には、圧縮バネ１４０で付勢方向に付勢され、付勢方向に変位することで開閉可能なゲート部品１２０に、次のような２つの面を設けている。
ゲート部品１２０が閉じているときに、カード積載部１１２の載置面１０５に当接する第一面１２１と、搬送時にカードＣが当接して開くときに、圧縮バネ１４０による付勢方向とは反対方向に変位する力を受ける第二面１２２である。
また、上述したように、ゲート部品１２０を付勢する付勢部材として、圧縮バネ１４０を用いることで、原稿搬送補助装置１００の低コスト化、及び省スペース化に寄与できる。
【００３１】
次に、原稿搬送補助装置１００の基本的な構成と、ＡＤＦ５（読取装置６）との位置関係について、図を用いて説明する。
図９は、原稿搬送補助装置１００の基本的な構成と、ＡＤＦ５との位置関係についての説明図である。そして、図９（ａ）が原稿搬送補助装置１００の基本的な構成の説明図、図９（ｂ）がＡＤＦ５における主走査方向と副走査方向の説明図、図９（ｃ）が原稿搬送補助装置１００における主走査方向と副走査方向の説明図である。
図１０は、原稿搬送補助装置１００によるカードＣの搬送手順の説明図であり、図１０（ａ）が、カード積載部１１２の載置面１０５を露出させた状態、図１０（ｂ）がカードＣを積載した状態、図１０（ｃ）が積載したカードＣを加圧した状態を示している。そして、図１０（ｄ）がカード搬送用レバー１１１をスライドさせて（動かして）カードＣをガイド部１３０に設けた搬出口１１５から搬出している状態を示している。
【００３２】
原稿搬送補助装置１００は、図９（ａ）に示すようにカードＣを積載するカード積載部１１２を有する積載ケース１０２と、積載ケース１０２に対して開閉するように回動可能に支持された加圧機構１０１を備える。
また、カードＣを搬送方向に押出すカード後端押出部品１１３と、これを移動させるためにユーザが把持してスライドさせるカード搬送用レバー１１１と、閉じた加圧機構１０１のロックを解除する加圧機構解除ボタン１１４も備える。
また、積載ケース１０２の原稿搬送方向であるカード搬送方向の下流側には、カードＣが搬出される搬出口１１５が設けられるとともに、搬出口１１５を開閉するゲート部品１２０の開閉をガイド（案内）するガイド部１３０が形成されている。このガイド部１３０には、搬送されるカードＣが通る矩形の搬出口１１５が形成されており、カード積載部１１２の載置面１０５が搬出口１１５の下部と略同一面となるように構成されている。
そして、加圧機構１０１には、閉じられたときにカード積載部１１２の載置面１０５に積載されたカードＣを加圧する加圧板１１８を有している。
【００３３】
また、ＡＤＦ５（読取装置６）における主走査方向と副走査方向は、図９（ｂ）に示すように、閉じた手差しトレイ６１のカード挿入口７からカードＣを挿入する搬送方向が副走査方向であり、この副走査に直行する原稿幅方向が主走査方向である。いいかえると、カード挿入口７から挿入するカードＣの搬送方向が副走査方向、カードＣの幅方向が主走査方向に該当する。
一方、これらの方向を、ＡＤＦ５に取り付けられた原稿搬送補助装置１００にあてはめると、カード搬送用レバー１１１をスライドさせて移動してカードＣを押出すカード後端押出部品１１３の移動方向やカードＣの搬送方向が副走査方向に相当する。また、カード積載部１１２の載置面１０５に平行、且つカードＣの搬送方向に直行する方向が主走査方向に相当する。
【００３４】
原稿搬送補助装置１００によるカードＣの搬送手順は、まず、図１０（ａ）に示すように加圧機構１０１を回動させて開いてカード積載部１１２の載置面１０５を露出させた後、図１０（ｂ）に示すように露出したカード積載部１１２の載置面１０５にカードＣを積載する。カードＣを積載したら、図１０（ｃ）に示すように加圧機構１０１を閉じてカードＣを加圧する。その後、図１０（ｄ）に示すようにカード搬送用レバー１１１をスライドさせてカードＣをガイド部１３０に設けた搬出口１１５から搬出する。
【００３５】
次に、積載ケース１０２内に積載したカードＣへのアクセス性について、図１１を用いて説明する。
図１１は、積載ケース１０２に設けたカードＣの底面へのアクセス用の孔部１０９の説明図であり、図１１（ａ）が上方からの斜視説明図、図１１（ｂ）が下方からの斜視説明図である。
複数枚のカードＣを束（以下、適宜、カード束という。）として積載（セット）し、順次カードＣを搬送して読み取っている途中で、カード搬送を止めて積載ケース１０２に残っているカード束を取り出したいときがある。
このようなときに、詳しくは後述するテーパ形状だけではカードＣと積載ケース１０２の内側面の隙間では指を入れられるスペースがなく、非常にカードＣを取り出しづらい。
そこで、図１１（ａ）、図１１（ｂ）に示すように、カード底面部にアクセスできるよう積載ケース１０２に孔部１０９を設けることで、カード束の底面を指で支えて簡単にカード束を取り出すことができる。
【００３６】
次に、加圧機構１０１の概要について、図１２を用いて説明する。
図１２は、加圧機構１０１の概要についての説明図であり、図１２（ａ）が複数枚のカードＣ、例えば１０枚のカードを加圧機構１０１で加圧した状態を示し、図１２（ｂ）が１枚のカードＣを加圧機構１０１で加圧した状態を示している。図１３は、加圧機構１０１でカードＣ又はカード束を加圧するときの手順の説明図であり、図１３（ａ）がカード束等をセットするときの説明図で、図１３（ｂ）がセット後加圧した状態を示している。
【００３７】
反ったカードでも搬送できるようにするため、図１２（ａ）、図１２（ｂ）に示すようにカード束を上から押さえつけて反りを低減し、問題なくカードＣを搬送するための機構として、加圧機構１０１を追加した。
このようにカードＣを、その厚さ方向に加圧するための加圧機構１０１を有することで、反ったカードでも加圧機構１０１で厚さ方向に加圧することによって反りを小さくでき、搬送することができる。
また、加圧するとき、カード束の厚さが異なっても押さえ力を保つために加圧圧縮バネ１７２を加圧機構１０１の内部に設置することで、カード束の厚さに応じて加圧板１１８が上下できるようにしている。
【００３８】
つまり、カードＣを押圧する加圧板１１８は、積載されているカードＣの最上面に当接し、且つ積載されているカードＣの厚さに応じて、カードＣの厚さ方向に移動可能に構成されている。
このように構成することで、カードＣが搬送もしくは新たに追加され、積載されたカードＣの厚さが変化しても加圧できる。
また、カードＣを加圧する加圧力として加圧圧縮バネ１７２の弾性力を用いている。
このように構成することで、単純な構成で積載したカードＣに応じて厚さ方向に可動、且つ加圧できるため、コストが安く済み、レイアウト性が良くなる。
【００３９】
また、加圧機構１０１は、加圧機能を有する少なくとも１つの加圧板支持部材１７１と、加圧板支持部材１７１の変位方向をカードＣの厚さ方向に規制する加圧カイド部１７３を有しており、加圧板支持部材１７１と加圧カイド部１７３の摺動部分はＰＯＭ材料で構成されている。
このように構成することで、摺動性の良いＰＯＭ材料を用いることで変位時の抵抗を小さくすることができ、加圧動作を安定的に行うことができる。
【００４０】
操作手順としては、図１３（ａ）、図１３（ｂ）に示すように加圧機構１０１が開いた状態でカード束をケースに積載（セット）し、加圧機構１０１を手動で閉じてカード束を加圧させ、任意の枚数カのードを搬送する。その後、加圧機構１０１による加圧を解除するときには加圧機構解除ボタン１１４を押すとねじりコイルばねにより加圧機構１０１が自動的に開き、再び開いた状態に戻る。
【００４１】
次に、カード搬送機構について、図１４を用いて説明する。
図１４は、カードを搬送するときの操作の流れについての説明図であり、図１４（ａ）が、カード搬送用レバー１１１がホームポジション（以下、適宜、ＨＰという。）にある状態を示している。そして、図１４（ｂ）がカード搬送用レバー１１１を移動させてカードＣの搬送を行っている状態を、図１４（ｂ）がカードＣの搬送後、カード搬送用レバー１１１がＨＰに戻っている状態を示している。
【００４２】
カードＣを搬送する一連の動作としては、図１４（ａ）に示すようにユーザがカード搬送用レバー１１１を動かし、それに伴って、カードを押し出す押出面を含むカード後端押出部品１１３が連動し、カード後端を面で押すことでカードＣを搬送する。カード搬送用レバー１１１を最大まで移動させた後、手を離すとばねにより自動でカード搬送用レバー１１１がホームポジションまで戻る。
ここで、上述した一連の動作の間は加圧機構１０１が閉じているが、図１４では分かり易くするために加圧機構１０１は省略している。
また、カードスタックケースのカード出口はＡＤＦ５内部の手差し原稿入口に繋がっており、積載ケース１０２内で搬送されたカードＣはＡＤＦ５内の手差し入口コロのニップにカード先端を押し付けられ、その後ＡＤＦ５本体内でカードＣがプレフィードされる。
【００４３】
次に、開閉するゲート部品１２０等を備えた開閉機構（シャッター）によるカードの分離機構について、図１５を用いて説明する。
図１５は、原稿搬送補助装置１００によるカードＣの分離機構の説明図であり、図１５（ａ）は加圧機構１０１が開いた状態の斜視説明図、図１５（ｂ）と図１５（ｃ）は１枚のカードＣを載置した場合の説明図である。そして、図１５（ｄ）と図１５（ｅ）は複数枚のカードＣを積載した場合の説明図である。図１６は、複数枚のカードＣを積載したときの２枚目のカードに発生する力の説明図である。
【００４４】
本実施例の原稿搬送補助装置１００では、様々なカード厚さに対応するため、図１５（ａ）〜図１５（ｅ）に示すようにカードＣの搬送力によりカードＣがゲート部品１２０を押し上げて開くようにした。また、ゲート部品１２０の上部には圧縮バネ１４０を設けており、カードＣがゲート部品１２０を押し上げてゲート部品１２０を開けると閉まり力が発生するように構成した。
【００４５】
具体的には、図１５（ｂ）、図１５（ｃ）に示すようにカード積載部１１２の載置面１０５に１枚だけカードＣを載置して図中矢印方向に搬送すると、カードＣの先端が、ゲート部品１２０の斜めの面取り形状が施された第二面１２２に当接する。この当接の分力により、ゲート部品１２０が押し上げられて図中斜め上方向に上昇してゲートが開く。
ここで、カードＣがゲート部品１２０に当接するまでは、ゲート部品１２０は、その自重と、圧縮バネ１４０の付勢力により、載置面１０５に平行な第一面１２１がカード積載部１１２の載置面１０５に当接して閉じている。
【００４６】
一方、図１５（ｄ）、図１５（ｅ）に示すようにカード積載部１１２の載置面１０５に複数枚のカードＣを載置して図中矢印方向に搬送すると、まず１枚目のカードＣの先端が、ゲート部品１２０の斜めの隅切り部である第二面１２２に当接し、ゲート部品１２０が上昇する。
但し、最下部の１枚目のカードＣを搬送するときに、そのすぐ上に重なっている２枚目のカードに１枚目のカードＣとの摩擦力が発生するため１枚目のカードＣと連動して２枚目のカードも一緒にゲート部品１２０を押し上げて搬送して、重送を起こす可能性がある。
この重送を防ぐため、本実施例では、図１６に示すように、ゲート部品１２０の閉まり力の設計値は”２枚目のカードの１枚目のカードＣとの摩擦力の分力である０．０８Ｎ”を超えるように、ゲート部品１２０の閉まる力を公差も含めて０．２Ｎとした。
【００４７】
次に、本実施例の原稿搬送補助装置１００による、カードＣの搬送について図を用いて説明する。
図１７は、押出面１６３がカードＣの後端部を押し出すことでカードＣが搬送される状態を示した図であり、図１７（ａ）が搬送初期の状態を示し、図１７（ｂ）が搬出口１１５からカードＣが約半分でるように搬送された状態を示している。
図１７（ａ）に示すように、本実施例では、カード搬送方向上流側から、カード後端押出部品１１３に設けた押出面１６３が、カードＣのカード搬送方向の後端部（ＣＥ）に当接しており、カードＣの後端部の少なくとも一部分にカード搬送方向の力を伝達する。
この伝達により、ユーザがカード搬送用レバー１１１に加えたカード搬送方向の利からがカードＣに伝達され、図１７（ｂ）に示すように、カードＣが押出されて搬送される。
【００４８】
このように構成することで、次のような効果を奏することができる。
カードＣの厚さ方向上下部に搬送ローラを設置することでもカードＣを搬送するという機能は実現できるが、搬送ローラ径により厚さ方向に装置自体が大型化してしまう。これに対してカードＣの後端部に力を与える構成では、カードＣの厚さ方向上下部に搬送ローラを設置する構成ほど装置自体を大型化させることなく搬送機能を実現できる。
【００４９】
次に、カード搬送用レバー１１１とカード後端押出部品１１３を連動させてカードＣを搬送する構成について、図を用いて説明する。
図１８は、カード搬送用レバー１１１と、カード後端押出部品１１３が連動して動く様子を示したものであり、図１８（ａ）が搬送初期の状態を示し、図１８（ｂ）がカード搬送用レバー１１１を最大まで移動させた状態を示している。図１９は、カード搬送用レバー１１１とユーザの立ち置の位置関係の説明図である。
図１８（ａ）、図１８（ｂ）に示すように、カード搬送用レバー１１１に搬送方向に沿った力を加えると、カード搬送用レバー１１１とカード後端押出部品１１３が、スライド溝部１６２等に案内されてカード搬送方向に連動して移動する。このとき、カードＣが載置されていれば、カード後端押出部品１１３に形成された押出面１６３が、カードＣの後端部の少なくとも一部にカード搬送方向の力を伝達してカードＣが搬送されることになる。
【００５０】
つまり、本実施例の搬送手段は、カードＣを押出すカード後端押出部品１１３等から構成される原稿搬送機構とカード搬送用レバー１１１とを有している。そして、カード搬送用レバー１１１の動きに、原稿搬送機構の動きが連動することで、カード搬送方向の原稿後端部に力を与える。
このように構成することで、ユーザが直観的に、カード搬送用レバー１１１をカード搬送方向に動かして同方向にカードＣを搬送することができる。
ここで、カード搬送用レバー１１１は、図１９に示すように、原稿搬送補助装置を原稿搬送時に操作する操作者側に突出するように設けられている。
このように構成することで、ユーザがカード搬送用レバー１１１を操作し易い。
【００５１】
次に、カード搬送用レバー１１１のストロークＭＡＸ時に、弾性部材によってカード搬送用レバー１１１及び原稿搬送機構がホームポジションに自動で戻る構成について、図を用いて説明する。
図２０は、カード搬送用レバー１１１のストロークＭＡＸ時に、弾性部材によってカード搬送用レバー１１１及び原稿搬送機構がホームポジションに自動で戻る様子を示したものであり、図２０（ａ）が初期時の状態を示している。また、図２０（ｂ）が手動でカード搬送用レバー１１１を動かしているとき、図２０（ｃ）がＨＰに戻った状態を示している。
本実施例では、搬送手段は、カード搬送用レバー１１１と原稿搬送機構をホームポジションに自動で戻す、弾性部材である戻し圧縮バネ１６１を有する。
【００５２】
原稿搬送機構の押出面１６３でカード後端を押してカードＣを搬送するため、カードＣを搬送するときは原稿搬送機構が常に原稿の端部よりも外側に位置していなくてはならない。これは、原稿搬送機構の押出面１６３がカードＣの厚さ方向の下側に潜り込んでいる状態だとカード後端部を搬送方向に押せず、カードＣを搬送できないためである。
上述したように自動でホームポジションに戻るような構成であれば、ユーザの操作によらずカードＣを搬送した直後、つまりカード搬送用レバー１１１のストロークＭＡＸ位置からカード搬送用レバー１１１が必ずホームポジションに戻ることができる。つまり、ユーザがカード搬送用レバー１１１をホームポジションに戻すときに、途中（積載したカードＣの厚さ方向の下側）でカード搬送用レバー１１１を止めてしまうことがない。
よって、この構成では常に積載した原稿の不送りを防ぐことができると同時に、ユーザがホームポジションまでレバーを戻す負担をなくすことができる。
【００５３】
また、カード搬送用レバー１１１と原稿搬送機構をホームポジションに自動で戻す、弾性部材としては、上述したように圧縮バネが望ましい。
このように構成することで、単純な構成であるとともに、コストが安く済み、レイアウト性が良い。
【００５４】
また、このように弾性部材を用いてカード搬送用レバー１１１と原稿搬送機構をホームポジションに自動で戻す構成における、弾性部材による作用線と可動部の重心位置の好ましい関係について、図２１を用いて説明する。
図２１は、弾性部材による作用線と、カードＣを搬送する可動部品の主走査方向重心位置の位置関係の説明図である。
圧縮バネ１６１等の弾性部材による作用線と、カードＣを搬送するカード後端押出部品１１３やカード搬送用レバー１１１等の可動部品の主走査方向重心位置の位置は、図２１に示すように略一致することが好ましい。
このように構成することで、原稿搬送機構を構成するカード後端押出部品１１３やカード搬送用レバー１１１等が斜めになることなくホームポジションに位置できるので、原稿後端部の押出面を原稿後端面に対して垂直に押し出すことができる。
【００５５】
次に、カード搬送用レバー１１１及び原稿搬送機構１６０の移動をカード搬送方向に規制してガイドするスライドガイド部１６５について、図を用いて説明する。
図２２は、カード搬送用レバー１１１及び原稿搬送機構１６０の移動をカード搬送方向に規制してガイドするスライドガイド部１６５の説明図であり、図２２（ａ）が積載ケース１０２の底部に設けられたスライドガイド部１６５の説明図である。また、図２２（ｂ）がスライドガイド部の主走査方向の断面説明図、図２２（ｃ）がカード搬送用レバー１１１がホームポジションにあるときの説明図、図２２（ｄ）がカード搬送用レバー１１１のストロークＭＡＸ時の説明図である。
【００５６】
図２２（ａ）に示すように、スライドガイド部１６５は積載ケース１０２の底部にカード搬送方向に沿った２列のスライド溝部１６２に挟まれるように設けられている。その主走査方向の断面は、図２２（ｂ）に示すように、２つのスライド溝部１６２に挟まれた凸形状をしており、その２つの外側面がカード搬送用レバー１１１及び原稿搬送機構１６０の凹形状の内側面をガイドするガイド面１６６となっている。
そして、スライドガイド部１６５にガイドされるカード搬送用レバー１１１及び原稿搬送機構１６０は、図２２（ｃ）に示すホームポジションの位置と、カード搬送用レバー１１１のストロークＭＡＸ時の位置の間をカード搬送方向に沿ってスライドする。
また、スライドするときの方向は、狙いのカード搬送方向に沿った方向となるように構成されている。つまり、このように構成することで、カードＣを狙いの方向へ搬送することができる。
【００５７】
ここで、スライドガイド部１６５の２つのガイド面１６６と、これらが摺動するガイド面１６６との摺動抵抗、つまり搬送抵抗は低い方が望ましい。
そこで、本実施例では、カード搬送用レバー１１１及び原稿搬送機構１６０と、スライドガイド部１６５の摺動部はＰＯＭ材料で構成することとした。
このように、摺動性の良いＰＯＭ材料を用いることで搬送抵抗を小さくすることができ、操作者の操作感が向上する。
【００５８】
上述したように、本実施例の原稿搬送補助装置１００は、ＡＤＦ５のカード挿入口７に向けて搬送されるカードＣを積載するカード積載部１１２と、カード積載部１１２の載置面１０５に向けてカードＣを加圧する加圧機構１０１と、を備えている。また、カードＣを搬送する原稿搬送機構１６０も備えている。
そして、加圧機構１０１を移動させて上方が露出したカード積載部１１２の載置面１０５上にカードＣが積載されるものである。
【００５９】
このように構成することで、次のような効果を奏することができる。
従来の搬送積載装置の構成を適用した原稿搬送補助装置１００ａでは、積載済みのカードＣをカード搬送面から離れる方向に退避させた後に新たなカードＣを積載するので、カード積載部にカードＣを１枚ずつしか積載することができない。
また、カード積載部に積載するための給送口と、カードＣを外部に搬出する搬出口とを兼用しているので、カードＣを原稿積載部に積載するたびに、ＡＤＦ５から取り外してカードＣをカード積載部に積載しなければならない。
これらのため、従来の搬送積載装置の構成を適用した原稿搬送補助装置１００ａでは、カードＣをカード積載部に積載するときの作業効率が悪いという問題があった。
【００６０】
一方、本実施例の原稿搬送補助装置１００では、加圧機構１０１を移動させて上方が露出した載置面１０５上にカードＣを積載するので、カード積載部１１２に積載可能な枚数のカードＣを１度で積載することができる。また、ＡＤＦ５に取り付けたままの状態で積載作業が行える。
よって、カードＣをカード積載部１１２に積載するときの作業効率を向上させることができる原稿搬送補助装置１００を提供できる。
【００６１】
また、本実施例の原稿搬送補助装置１００は、ＡＤＦ５のカード挿入口７に向けて搬送されるカードＣを積載するカード積載部１１２と、カード積載部１１２の載置面１０５に向けてカードＣを加圧する加圧機構１０１と、を備えている。また、カードＣを搬送する原稿搬送機構１６０等も備えている。また、ＡＤＦ５に着脱可能に構成されている。
そして、カード搬送に連動して開閉する開閉機構を有している。この開閉機構には、カード搬送方向の先端部が突き当たることで持ち上がって開き、原稿が下方を通過することで閉じるゲート部品１２０が設けられており、搬送手段は、原稿搬送補助装置１００をカード搬送時に操作するユーザの操作力を、カードＣに伝達するものである。
【００６２】
このように構成することで、次のような効果を奏することができる。
従来の搬送積載装置の構成を適用した原稿搬送補助装置１００ａでは、原稿搬送補助装置１００ａは、カードＣ’を搬送するための搬送ローラ１９０ａや対向ローラ１９１ｂを備えるとともに、これらを駆動するための駆動源を、その筐体１９５内に設けている。
このため、原稿搬送補助装置１００ａ自体の重量が重くなったり、大型化したりするとともに、カードＣ’を多数枚積載した場合には、図５（ｂ）に示すように、ＡＤＦ５に接続したときに、ＡＤＦ５から離れた側に重心Ｇが偏ってしまう。
その結果、ＡＤＦ５の搬送経路は下流側程高くなるように傾斜したストレート状であるため、カード積載部１１２ａにひっぱられ装置の略全体が下側に位置するようになり、モーメントによってＡＤＦ５本体に干渉するようになってしまう。更に、安定してカードを給送できないおそれもある。
【００６３】
一方、本実施例の原稿搬送補助装置１００では、カード搬送に連動して開閉する開閉機構には、カード搬送方向の先端部が突き当たることで持ち上がって開き、原稿が下方を通過することで閉じるゲート部品１２０が設けられている。加えて、搬送手段は、原稿搬送補助装置１００をカード搬送時に操作するユーザの操作力を、カードＣに伝達するものである。
このように本実施例の原稿搬送補助装置１００は、従来の搬送積載装置の構成を適用した原稿搬送補助装置１００ａとは異なり、カードの分離やカード搬送に用いる駆動源を別途設ける必要がないため、ＡＤＦ５から離れた側に重心Ｇが偏ることを抑制できる。
したがって、カード積載部１１２にひっぱられ装置の略全体が下側に位置するようになって、モーメントによってＡＤＦ５本体に干渉するようになってしまうことや、安定してカードを給送できなくなってしまうことを抑制できる。
【００６４】
また、本実施例の原稿搬送補助装置１００は、搬送するカードＣの厚さが０．４８[ｍｍ]以上０．７８[ｍｍ]以下に設定することが好ましい。
このように構成することで、０．４８[ｍｍ]以上０．７８[ｍｍ]以下の様々な厚さのカードＣも確実に搬送できる。
より具体的には、ＪＩＳII規格準拠厚さ０．４８[ｍｍ]、及び０．７８[ｍｍ]の厚さのカード等とともに、病院の診察券に多い０．５[ｍｍ]程度の厚さの原稿にも対応できる。
【００６５】
また、原稿搬送補助装置１００は、搬送するカードＣの縦と横の寸法が、それぞれ５３．９８［ｍｍ］と８５．６０［ｍｍ］であることが好ましい。
このように構成することで、次のような効果を奏することができる。
上述したカードＣの寸法は、ＡＤＦ５の原稿搬送経路５５の中途部近傍に設けられたカード挿入口７に向けて搬送することが多い、ＪＩＳII規格準拠のカード寸法である。
このため、病院の診察券、クレジットカード、キャッシュカード、運転免許証、マイナンバーカード等の多くを、好適に搬送できる。
【００６６】
また、原稿搬送補助装置１００は、搬送する原稿が「キャリアシート」、「プラスチックカード」、「はがき」、「封筒」、「帳票」、「クリアファイル」、及び「名刺」の少なくともいずれかであることが好ましい。
このように構成することで、一般的なシート原稿Ｓよりも厚さが厚い原稿であっても、ＡＤＦ５の原稿搬送経路５５の中途部近傍に設けられたカード挿入口７に向けて、好適に搬送できる。
【００６７】
また、原稿搬送補助装置１００は、ＡＤＦ５に対して着脱可能に構成されることが好ましい。
このように構成することで、原稿搬送補助装置１００を用いない場合にＡＤＦ５から取り外して、取り付けるＡＤＦ５、読取装置６、及び複写機１を小型化できる。
【００６８】
また、原稿搬送補助装置１００は、ＡＤＦ５に対して着脱可能に構成されている。
このように構成することで、原稿搬送補助装置１００を用いない場合に取り外して、取り付けるＡＤＦ５等の装置（ＡＤＦ５、読取装置６、及び複写機１）を小型化できる。
【００６９】
また、本実施例のＡＤＦ５は、原稿搬送経路５５の中途部近傍に設けられたカード挿入口７に向けてカードＣを搬送する原稿搬送補助手段として、上述したいずれかの原稿搬送補助装置１００を備える。
このように構成することで、上述したいずれかの原稿搬送補助装置１００と同様な効果を奏することができるＡＤＦ５を提供できる。
【００７０】
また、本実施例の読取装置６は、原稿搬送経路５５の中途部近傍に設けられたカード挿入口７に向けてカードＣを搬送する原稿搬送補助手段として、上述したいずれかの原稿搬送補助装置１００を設けるＡＤＦ５を備える。
このように構成することで、上述したいずれかの原稿搬送補助装置１００を設けるＡＤＦ５と同様な効果を奏することができる読取装置６を提供できる。
【００７１】
また、本実施例の複写機１は、原稿搬送経路５５の中途部近傍に設けられたカード挿入口７に向けてカードＣを搬送する原稿搬送補助手段として、上述したいずれかの原稿搬送補助装置１００を設けるＡＤＦ５を備える。
このように構成することで、上述したいずれかの原稿搬送補助装置１００を設けるＡＤＦ５と同様な効果を奏することができる複写機１を提供できる。
【００７２】
（実施例２）
まず、本実施形態のＡＤＦ５（読取装置６）の原稿搬送経路５５の中途部近傍に設けられたカード挿入口７に向けてカードＣを搬送する原稿搬送補助装置１００の実施例２について、図を用いて説明する。
本実施例の原稿搬送補助装置１００は、上述した実施例１と、基本構成は同様であるが、開閉機構の構成について、より好適な構成例を挙げていることに係る点のみ異なる。
したがって、実施例１と同様な構成、及びその効果については、適宜、省略して説明するとともに、特に、区別する必要がない限り、同一の部材については、同一の符号を付して説明する。
【００７３】
図２３は、ゲート部品１２０を閉じた状態の開閉機構１５０の状態説明図であり、図２３（ａ）が斜視説明図、図２３（ｂ）が搬出口１１５を正面側から見た説明図である。図２４は、ゲート部品１２０を開いた状態の開閉機構１５０の状態説明図であり、図２４（ａ）が斜視説明図、図２４（ｂ）が搬出口１１５を正面側から見た説明図である。図２５は、カード搬送時にゲート部品１２０が閉じた状態から開いた状態に変化するときの説明図であり、図２５（ａ）が、ゲート部品１２０が開く前の状態を示し、図２５（ｂ）が、ゲート部品が開いてカードＣが搬出されている状態を示している。図２６は、開閉機構１５０の主走査方向の中心位置と圧縮バネ１４０の位置の説明図、図２７は、カードＣの主走査方向中心位置と開閉機構１５０の主走査方向中心位置の説明図である。
【００７４】
本実施例の原稿搬送補助装置１００に設けた開閉機構１５０は、搬出口１１５を開閉するゲート部品１２０を設けた開閉機構１５０を有し、カードＣを搬送する搬送力によってカード搬送方向のカード先端部がゲート部品１２０を押し上げてカードＣが搬送される。
そして、図２３（ａ）、図２３（ｂ）に示すように加圧機構１０１を開く等しているカードＣの搬送を開始する前には、開閉機構１５０のゲート部品１２０は閉じている。
一方、図２４（ａ）、図２４（ｂ）に示すようにカードＣが搬送されるときには、カードＣに押し上げられて開閉機構１５０のゲート部品１２０が開いた状態となる。
【００７５】
また、図２５（ａ）に示すように、開閉機構１５０のゲート部品１２０が閉じた状態から開いた状態に変化するのは、カードＣがゲート部品１２０の隅切りが施されている第二面１２２に搬送されているカードＣ当接するまでは、ゲート部品１２０は閉じている。
そして、当接した後もカードＣの搬送が続くと、カードＣにゲート部材が上方に押し上げられて開き、図２５（ｂ）に示すように下方をカードＣが通過している間は、ゲート部品１２０は閉じない。
【００７６】
つまり、本実施例では、カードＣを搬出する搬出口１１５を開閉するゲート部品１２０を設けた開閉機構１５０を有し、カードＣを搬送する搬送力によってカード搬送方向のカード先端部がゲート部品を押し上げてカードＣが搬送されるように構成している。
このように構成することで、０．４８［ｍｍ］〜０．７８［ｍｍ］の様々な厚さの原稿も確実に搬送できる。
ここで、１種類のカード厚さを想定しているならば、その厚さ分の隙間をあけておくだけで十分であり、今回のように開閉機構１５０を設ける必要はなかったが、今回は複数の厚さに対応するために上述したような開閉機構１５０とした。
また、本実施例の原稿搬送補助装置１００では、ＪＩＳII規格準拠厚さ０．７８［ｍｍ］、０．４８［ｍｍ］および０．７８［ｍｍ］厚さのカードとともに病院の診察券に多い０．５［ｍｍ］程度の厚さに対応できるようにした。
【００７７】
また、図２５（ａ）、図２５（ｂ）に示すように、本実施例の原稿搬送補助装置１００では、ゲート部品１２０は、圧縮バネ１４０の弾性力で載置面１０５に向けて付勢されている。
このように構成することで、カード搬送時にゲート部品１２０が開いた後、次のカードＣを搬送する前にゲート部品１２０が確実に閉まっているようにできる。
ここで、カード搬送前にゲート部品１２０が開いていると、搬送するカードＣとその上に重なっているカードＣとを分離することができないことがあるので重送が発生するおそれがある。
【００７８】
また、図２６に示すように、開閉機構１５０は、主走査方向の中心位置に対して、ゲート部品１２０を付勢する複数の弾性部材が略対称に配置されている。
このように構成することで、次のような効果を奏することができる。
圧縮バネ１４０が主走査方向中心に１つだけ配置された構成だと、圧縮バネ１４０の設置位置を中心に圧縮バネ１４０の回転を許してしまう。このため、開閉時にひっかかりなど何らかの力が搬送手段の片側に発生したときに、片側だけ閉じずに開いたままになってしまうおそれがある。
そこで、２個以上の圧縮バネ１４０を主走査方向中心に対して両側に配置することでゲート部品１２０の動作を開閉方向のみに規制することができるため確実に閉じることができる。
【００７９】
また、ゲート部品１２０を付勢する弾性部材として、圧縮バネ１４０等の圧縮バネを用いている。
このように構成することで、単純な構成で低コスト、且つ省スペースな原稿搬送補助装置１００を提供できる。
【００８０】
また、図２５に示すように、本実施例のゲート部品１２０は、載置面１０５に接触する側の端部の少なくとも一部は面取り形状に形成されている。より具体的には、カードＣが搬送されてきたときにカードＣが当接する側であって、載置面１０５に当接する側の隅部に面取り形状が施されて、ゲート部品１２０の第二面１２２となっている。
このように構成することで、次のような効果を奏することができる。
カード搬送時にカードＣをゲート部品の先端を下方向に導く（）ことができるため、反りがないカードＣだけでなく、カードＣの端部が厚さ方向の高さ方向に反ったカードＣでも不送りを防ぐことができる。
【００８１】
ここで、ゲート部品１２０の、載置面１０５に接触する側の端部の少なくとも一部に施す形状は、面取り形状に限定されるものではなく、円弧形状であっても同様な効果を奏することができる。
つまり、ゲート部品１２０が、載置面１０５に接触する側の端部の少なくとも一部は円弧形状、又は面取り形状に形成されていれば、上述した効果と同様な効果を奏することができる。
【００８２】
また、図２７に示すように、原稿搬送補助装置１００では、主走査方向における、開閉機構１５０の中心位置とカードＣの中心位置が略一致するように構成されている。
このように構成することで、次のような効果を奏することができる。
カード搬送時にはカードＣが開閉機構１５０の下部を通過するので、カードＣの主走査方向中心位置と開閉機構１５０の主走査方向中心が一致しないと、カードＣを搬送するにあたり無駄な部分が開閉機構１５０の主走査方向に存在することになる。そして、開閉機構１５０の主走査方向に存在する無駄な部分の分、装置自体が大型化してしまう。
一方、主走査方向における、開閉機構１５０の中心位置とカードＣの中心位置が略一致するように構成することで、上述したカードＣを搬送するにあたり無駄な部分を開閉機構１５０の主走査方向から無くせ、装置自体が大型化することを抑制できる。
【００８３】
また、開閉機構１５０は、ゲート部品１２０の摺動部、及びゲート部品１２０を圧縮バネ１４０による付勢方向にガイドするガイド部１３０の摺動部の少なくとも一部はＰＯＭ材料で構成されている。
このように構成することで、ゲート部品１２０の摺動部、及びガイド部１３０の摺動部に、摺動性の良いＰＯＭ材料を用いることで開閉時の抵抗を小さくすることができ、開閉機構１５０の開閉動作を安定的に行うことができる。
【００８４】
（実施例３）
まず、本実施形態のＡＤＦ５（読取装置６）の原稿搬送経路５５の中途部近傍に設けられたカード挿入口７に向けてカードＣを搬送する原稿搬送補助装置１００の実施例３について、図を用いて説明する。
本実施例の原稿搬送補助装置１００は、上述した実施例１、２と、基本構成は同様であるが、加圧機構１０１の構成について、より好適な構成例を挙げていることに係る点のみ異なる。
したがって、実施例１、２と同様な構成、及びその効果については、適宜、省略して説明するとともに、特に、区別する必要がない限り、同一の部材については、同一の符号を付して説明する。
【００８５】
図２８は、加圧機構１０１の加圧力の合力のベクトル位置とカード重心位置の説明図であり、図２８（ａ）が断面説明図、図２８（ｂ）が平面説明図である。図２９は、加圧機構１０１の加圧モードと、非加圧モードの説明図であり、図２９（ａ）が加圧モードの説明図、図２９（ｂ）が非加圧モードの説明図である。図３０は、加圧モードから、加圧機構１０１を回動させて非加圧モードに切り替える構成の説明図であり、図３０（ａ）が加圧モードの状態を示し、図３０（ｂ）が非加圧モードの状態を示している。図３１は、加圧モードの加圧機構１０１が、被保持部１８１によって保持されている状態の説明図である。
【００８６】
図３２は、加圧機構１０１の被保持部１８１を押圧することで、加圧機構１０１を加圧モードから非加圧モードに移行させる構成の説明図であり、図３２（ａ）が被保持部１８１を押圧する構成の説明図、図３２（ｂ）が非加圧モードに移行した後の説明図である。図３３は、加圧機構解除ボタン１１４を押すことで、加圧機構１０１の加圧モードが解除されるまでの説明図であり、図３３（ａ）が解除する際の説明図、図３３（ｂ）が解除されて加圧機構１０１が自動で回動して開くときの説明図である。
【００８７】
図２８に示すように、本実施例の原稿搬送補助装置１００に備える加圧機構１０１は、加圧板１１８の加圧面がカードＣを加圧するときの加圧力の合力の作用線と、カード積載部１１２に積載されたカードＣの重心位置とが略一致するように構成されている。
このように構成することで、積載されたカードＣの被加圧面に対して偏りなく加圧することができる。
【００８８】
また、本実施例の加圧機構１０１は、図２９に示すように、カードＣを加圧する加圧モードと、載置面１０５をカードＣの厚さ方向に伸ばした空間の外に位置する非加圧モードの２つのモードを有する。
このように構成することで、加圧時は加圧機構１０１がカードＣを押さえている状態のため、加圧時はカードＣを交換するための空間が少なく、且つカードＣを出し入れするときに大きい力が必要となる。そこで、加圧モードだけでなく、カードＣを交換するときのためにカードＣの載置面１０５をカードＣの厚さ方向に伸ばした空間の外に出るように加圧機構１０１を配置する非加圧モードも設けることでカードＣの出し入れがし易くなる。
【００８９】
また、図３０（ａ）、図３０（ｂ）に示すように、原稿搬送補助装置１００を操作するユーザが、加圧機構１０１を、載置面１０５をカードＣの厚さ方向に伸ばした空間の外に配置された回動機構１７０の回動軸１７５を中心に回動させることで、加圧モードから、非加圧モードに切り替わるように構成されている。
このように構成することで、次のような効果を奏することができる。
非加圧モードに切り替えるときに、加圧機構１０１をカードＣの厚さ方向に変位させる方法では、カードＣを出し入れし易い高さにするのに変位量が大きくなってしまい、原稿搬送補助装置１００全体の大きさが大きくなってしまう。
一方、加圧機構１０１を回動機構１７０の回動軸１７５を中心に回動させる方法では、加圧機構１０１をカード積載部１１２の横方向にも簡単に変位させることができ、カードＣを出し入れし易い状態になるまでの変異量が上記方法よりも小さくて済む。このため、原稿搬送補助装置１００全体の大きさは上記方法ほど大きくならない。
【００９０】
また、加圧機構１０１は、加圧モードの状態から、ねじりコイルばね１７８の反力で回動して非加圧モードの状態に切り替わるように構成されている。
このように構成することで、単純な構成で低コスト、且つ省スペースな原稿搬送補助装置１００を提供できる。
【００９１】
また、図３１に示すように、加圧モードへの移行は、弾性部材からできた加圧機構１０１の外形部に形成した被保持部１８１が変形して、積載ケース１０２に形成した加圧機構固定用の凹部１８２に保持されることで行われる。ここで、被保持部１８１を保持する形状部は凹部１８２に限られるものではなく、例えば、積載ケース１０２に形成する凸部でも良い。
このように構成することで、所謂、スナップフィット方式を採用することで低コストな構成にできる。
【００９２】
また、図３２、図３３に示すように、加圧機構固定用の凹部（又は凸部）に保持された被保持部１８１の一部に、加圧機構解除ボタン１１４を当接させて被保持部１８１を変形させることで加圧モードが解除され、非加圧モードに切り替わるように構成している。
このように構成することで、加圧モードから非加圧モードへの切り替えを自動的に行うための押しボタン式スイッチとして加圧機構解除ボタン１１４を有することで、ユーザの使いやすさを向上させることができる。
ここで、上述した被保持部１８１は、ＡＢＳ樹脂から構成されていることが望ましい。
このように構成することで、ＡＢＳ材料は繰り返し曲げ応力に強いため、耐久回数が多くなる。
【００９３】
（実施例４）
まず、本実施形態のＡＤＦ５（読取装置６）の原稿搬送経路５５の中途部近傍に設けられたカード挿入口７に向けてカードＣを搬送する原稿搬送補助装置１００の実施例４について、図を用いて説明する。
本実施例の原稿搬送補助装置１００は、上述した実施例１〜３と、基本構成は同様であるが、アクセス用の孔部１０９、カード搬送用レバー１１１のストローク、及びカード積載部１１２の内壁の構成について、より好適な構成例を挙げていることに係る点のみ異なる。
したがって、実施例１〜３と同様な構成、及びその効果については、適宜、省略して説明するとともに、特に、区別する必要がない限り、同一の部材については、同一の符号を付して説明する。
【００９４】
図３４は、カード底面（原稿底面部）の一部が見えるように開けた孔部１０９の説明図、図３５は、孔部１０９の副走査方向中心位置と積載したカードＣの副走査方向中心位置の説明図である。図３６は、カード搬送機構の説明図であり、図３６（ａ）がカード搬送機構の構成部品の説明図、図３６（ｂ）がカードＣを積載する載置面１０５、カード後端、及びカード押し面の位置関係の説明図である。図３７は、積載ケース１０２をＡＤＦ５本体に装着したときの断面説明図である。図３８は、ＡＤＦ５の搬送コロと、搬送するカードの衝突についての説明図であり、図３８（ａ）が衝突時の説明図、図３８（ｂ）が衝突後、カード搬送用レバー１１１ＭＡＸ移動時の説明図である。図３９は、テーパ形状を有するカード積載部１１２の内壁の説明図であり、図３９（ａ）が斜視説明図、図３９（ｂ）が断面説明図、図４０は、テーパ形状を有さないカード積載部の例の説明図である。
【００９５】
まず、実施例１で説明した積載ケース１０２（カード積載部１１２）にも受けるアクセス用の孔部１０９から、より詳しく説明する。
図３４に示すように、積載ケース１０２は、カード積載部１１２上に積載されたカードＣの近くにアクセス用の孔部１０９が形成されており、アクセス用の孔部１０９から、積載したカードＣの底部（原稿底面部）の一部が露出するように構成されている。
このように構成することで、ユーザがカードＣの底面部にアクセスできるアクセス用の孔部１０９を有することで、載置されている複数のカードＣをまとめて取り出すこと、又は新たなカードＣの載置を容易にすることができる。
ここで、底面部にアクセスできないとカードＣを持ち上げにくい。更に、カードＣが１枚ではなく複数枚であった場合、複数枚のカードＣが重なったまま取り出せなくなってしまう。
【００９６】
また、本実施例の孔部１０９は、その副走査方向の中央位置は、積載するカード位置の副走査方向の中央位置と略一致する、又はカード底面部に沿った孔部１０９の主走査方向の中央位置は、積載するカード位置の副走査方向の中央位置と略一致するように構成されている。
このように構成することで、カードＣの中心部分を支持できるようになることで、ユーザが載置（積載）されているカードＣの取り出し、もしくは新たなカードＣの載置を容易にできるようになる。
ここで、副走査方向の中央位置が一致する例について、図３５を用いて説明しておく。
図２３に示すように、アクセス用の孔部１０９の副走査方向の中央位置と、カードＣの副走査方向の中央位置は一致している。
このように構成することで、カードＣの主走査方向の一方の端部近傍の中心部分をユーザが支持できるようになり、ユーザが載置されているカードＣの取り出し、もしくは新たなカードＣの載置を容易にできるようになる。
【００９７】
また、図３６、図３７に示すように、本実施例の原稿搬送補助装置１００では、カード搬送用レバー１１１のストロークに関して、次のように構成している。
カード搬送用レバー１１１の最大ストローク量とカードＣの搬送方向長さの和から、積載時の搬送方向のカード後端位置からＡＤＦ５の搬送経路上でカード挿入口７に最も近い第二原稿搬送機構２０４の搬送ローラ対のコロ２０４ａのニップ部Ｎの位置までの距離を引いた値が正である。
この正となる値だけ、カードＣにカード搬送方向の力を与えるカード搬送用レバー１１１や原稿搬送機構１６０の移動する部品がカード搬送方向とは逆方向に退避することができ、その退避量は緩衝用として設ける弾性体である緩衝用バネ１６７の弾性領域内である。
【００９８】
このように構成することで、カードＣの先端がＡＤＦ５内の第二原稿搬送機構２０４の搬送ローラ対に当接したまま押出面１６３がカード搬送方向とは反対側の方向に逃げることができる。このため、ユーザが勢い良くカード搬送用レバー１１１をＭＡＸ位置まで動かしてもＡＤＦ５内の手差しコロとなる第二原稿搬送機構２０４の搬送ローラ対のコロ２０４ａ、カードＣ、及び原稿搬送補助装置１００を構成する部品に大きいダメージを与えないようにできる。
【００９９】
また、図３６（ａ）に示すように、このカード搬送機構は、主に、カードＣを押し出す押出面１６３を有するカード後端押出部品１１３と、カード搬送用レバー１１１を含む部品の２部品と、それらの間に緩衝用バネ１６７が設置された合計３部品で構成される。
このように１部品にまとめずに３部品の構成にした理由としては、上述したＡＤＦ５内の第二原稿搬送機構２０４のコロ２０４ａまでカードＣを搬送するときに、１部品だと搬送用レバーとカード押し面が一体となっている。このため、第二原稿搬送機構２０４のコロ２０４ａのニップ部Ｎにカード先端が衝突した後の逃げがなく、ユーザが搬送用レバーを勢いよく動かすと第二原稿搬送機構２０４のコロ２０４ａやカードＣ、カード押し面にダメージを与える可能性がある。
【０１００】
そこで、カード押し面としての押出面１６３を有するカード後端押出部品１１３とカード搬送用レバー１１１を別部品にし、その２部品間に緩衝用バネ１６７を挟むことにした。
このように３部品とすることで、図３８（ａ）、（ｂ）に示すように、第二原稿搬送機構２０４の搬送ローラ対のコロのニップ部Ｎにカード先端が衝突しても、カード後端押出部品１１３が搬送方向と逆方向に逃げる。このように逃げることで、第二原稿搬送機構２０４の搬送ローラ対のコロやカードＣ、押出面１６３にダメージを与えることを避けることができる。さらに、緩衝用バネ１６７及び戻し圧縮バネ１６１の設計値によって第二原稿搬送機構２０４の搬送ローラ対のコロにカードＣを押し付ける強さを一定にすることができる。
【０１０１】
また、本実施例の構成では、上記設計値としては、カード搬送用レバー１１１をＭＡＸまで動かした位置で押出面１６３を有するカード後端押出部品１１３の逃げストローク量（＝ばねの縮み量）を４［ｍｍ］とし、その時の弾性力を３［Ｎ］とした。
また、カード後端押出部品１１３に設ける押出面１６３の高さは、本実施例の構成では最大で０．４８［ｍｍ］と規定している。
【０１０２】
また、緩衝用に設ける弾性体を圧縮ばねである緩衝用バネ１６７とすることで、単純な構成で低コストと省スペースであるという両方の効果を奏することができる。
【０１０３】
また、本実施例では、図３９（ａ）、図３９（ｂ）に示すように、カード積載部１１２のカードＣを積載する空間を囲む内壁は、主走査方向、又は副走査方向の内の少なくともいずれかに平行で互いに対向する内壁１１２ｗの間隔が、カードＣの厚さ方向に高くなる程広がるように構成されている。
このように構成することで、カード積載部１１２の内壁１１２ｗにテーパをつけることで積載されたカードＣが詰まってしまい、底面部の載置面１０５（搬送面）に接触する位置（搬送位置）まで供給されないことを防ぐことができる。また同時に、カードＣが載置された空間の入口が広がるためカードＣの出し入れがし易くなる。
【０１０４】
ここで、上述した説明で用いた図３９、及び後述する説明で用いる図４０には、副走査方向に平行な内壁１１２ｗの例についてのみ記載しているが、主走査方向に平行な内壁面に設けても同様な効果を奏することができる。
また、上述したように対向する内壁面にテーパを設けないと、図４０に示すようにカードＣが詰まってしまい、底面部の載置面１０５に接触する位置（搬送位置）まで供給されない不具合が発生する場合があった。
【０１０５】
また、本実施例の原稿搬送補助装置１００では、カード積載部１１２のカードＣを積載する空間を主走査方向に囲む２つの内壁１１２ｗ間の距離は、主走査方向のカードＣの長さと略一致するように構成することもできる。
このように構成することで、あらかじめ搬送時に原稿位置をある程度、外壁で規制しておくことができる。これにより、読取装置６に用いる場合には、読取装置６でスキャンされる画像のスキュー量を減らすこともできる。
【０１０６】
また、本実施例の原稿搬送補助装置１００では、カード積載部１１２のカードＣを積載する部分よりもカード搬送方向下流側に設けたカード積載部１１２の端部近傍の部分を、ＡＤＦ５のカード挿入口７近傍の部分に対して凹部と凸部の形状の嵌め合いで位置決めし、且つネジでＡＤＦ５に取り付ける。
このように構成することで、原稿搬送補助装置１００をＡＤＦ５に精度よく取り付けることができる。これは、ＡＤＦ５内の入口ローラとなるコロ２０４ａのニップ部ＮにカードＣを当接させなければならないため、取り付け位置にある程度の精度が必要であるためである。
【０１０７】
以上、本実施形態について、図面を参照しながら説明してきたが、具体的な構成は、上述した本実施形態の原稿搬送補助装置１００を備えた構成に限られるものではなく、要旨を逸脱しない範囲の設計の変更等を行っても良い。
本実施形態では、電子写真方式の複写機１の読取装置６有するＡＤＦ５（手差しトレイ６１）に取り付けた原稿搬送補助装置１００に適用した例について説明したが、このような構成に限定されるものではない。例えば、インクジェット方式（ジェルジェット方式）の複写機にも、適用可能である。
また、読取装置６有するＡＤＦ５の原稿搬送を補助する原稿搬送補助装置１００に適用した例について説明したが、このような構成に限定されるものではない。例えば、カード等を含むシートを搬送するシート搬送装置のシート搬送を補助する構成にも、適用可能である。
【０１０８】
以上に説明したものは一例であり、次の態様毎に特有の効果を奏する。
（態様１）
ＡＤＦ５などの自動原稿搬送装置のカード挿入口７などの給送口に向けて搬送されるカードＣなどの原稿を積載するカード積載部１１２などの原稿積載部と、該原稿積載部の載置面１０５などの原稿載置面に向けて原稿を加圧する加圧機構１０１などの加圧機構と、原稿を搬送する原稿搬送機構１６０などの搬送手段とを備え、前記自動原稿搬送装置による原稿搬送を補助する原稿搬送補助装置１００などの原稿搬送補助装置において、前記加圧機構を移動させて上方が露出した前記原稿載置面上に原稿が積載されることを特徴とする。
【０１０９】
これによれば、次のような効果を奏することができる。
従来の搬送積載装置の構成を適用した原稿搬送補助装置では、積載済みの原稿を原稿搬送面から離れる方向に退避させた後に新たな原稿を積載するので、原稿積載部に原稿を１枚ずつしか積載することができない。
また、原稿積載部に積載するための給送口と、原稿を外部に搬出する搬出口とを兼用しているので、原稿を原稿積載部に積載するたびに、自動原稿搬送装置から取り外して原稿を原稿積載部に積載しなければならない。
これらのため、従来の搬送積載装置の構成を適用した原稿搬送補助装置では、原稿を原稿積載部に積載するときの作業効率が悪いという問題があった。
【０１１０】
一方、本態様の原稿搬送補助装置では、加圧機構を移動させて上方が露出した原稿載置面上に原稿を積載するので、原稿積載部に積載可能な枚数の原稿を１度で積載することができるとともに、自動原稿搬送装置に取り付けたままの状態で積載作業が行える。
よって、原稿を原稿積載部に積載するときの作業効率を向上させることができる原稿搬送補助装置を提供できる。
【０１１１】
（態様２）
（態様１）において、前記搬送手段は、原稿搬送方向のＣＥなどの原稿後端部の少なくとも一部分に原稿搬送方向の力を伝達する。
これによれば、次のような効果をそうすることができる。
原稿の厚さ方向上下部に搬送ローラを設置することでも原稿を搬送するという機能は実現できるが、搬送ローラ径により厚さ方向に装置自体が大型化してしまう。これに対して原稿の後端部に力を与える構成では、原稿の厚さ方向上下部に搬送ローラを設置する構成ほど装置自体を大型化させることなく搬送機能を実現できる。
【０１１２】
（態様３）
（態様１）又は（態様２）において、前記搬送手段は、原稿を押出すカード後端押出部品１１３などから構成される原稿搬送機構とカード搬送用レバー１１１などの原稿搬送用レバーとを有しており、前記原稿搬送用レバーの動きに、前記原稿搬送機構の動きが連動することで、原稿搬送方向の原稿後端部に力を与えることを特徴とする。
これによれば、ユーザなどの操作者が直観的に、原稿搬送用レバーを搬送方向に動かして同方向に原稿を搬送することができる。
【０１１３】
（態様４）
（態様３）において、前記原稿搬送用レバーは、当該原稿搬送補助装置を原稿搬送時に操作する操作者側に突出するように設けられていることを特徴とする。
これによれば、操作者が原稿搬送用レバーを操作し易い。
【０１１４】
（態様５）
（態様３）又は（態様４）において、前記搬送手段は、前記原稿搬送用レバーと前記原稿搬送機構をホームポジションに自動で戻す、戻し圧縮バネ１６１などの弾性部材を有することを特徴とする。
これによれば、ユーザの操作によらず原稿を搬送した直後（レバーのストロークＭＡＸ位置）から搬送用レバーが必ずホームポジションに戻ることができる。つまり、ユーザが搬送用レバーをホームポジションに戻すときに、途中（積載原稿の厚さ方向の下側）でレバーを止めてしまうことがない。
よって、常に積載した原稿の不送りを防ぐことができると同時に、操作者がホームポジションまで原稿搬送用レバーを戻す負担をなくすことができる。
【０１１５】
（態様６）
（態様５）において、前記弾性部材は、戻し圧縮バネなどの１６１などの圧縮バネであることを特徴とする。
これによれば、単純な構成であり、コストが安く済み、レイアウト性が良い。
【０１１６】
（態様７）
（態様５）又は（態様６）において、原稿搬送方向に直交する主走査方向などの原稿幅方向における、原稿搬送時に移動する前記搬送手段のカード後端押出部品１１３やカード搬送用レバー１１１などの構成部品の重心位置と、前記弾性部材による弾性力の作用線の位置とは、略一致することを特徴とする。
これによれば、（態様５）の搬送手段が斜めになることなくホームポジションに位置できるので、原稿後端部の押出面を原稿後端面に対して垂直に押し出すことができる。
【０１１７】
（態様８）
（態様３）乃至（態様７）のいずれかにおいて、前記原稿搬送用レバー及び前記原稿搬送機構の移動を原稿搬送方向に規制するスライドガイド部１６５などのガイド部を有することを特徴とする。
これによれば、原稿を狙いの方向に搬送できる。
【０１１８】
（態様９）
（態様８）において、前記原稿搬送用レバー及び前記原稿搬送機構と、前記ガイド部の摺動部はＰＯＭ材料で構成されていることを特徴とする。
これによれば、摺動性の良いＰＯＭ材料を用いることで搬送抵抗を小さくすることができ、操作者の操作感が向上する。
【０１１９】
（態様１０）
（態様１）乃至（態様９）のいずれかにおいて、前記開閉部材は、前記原稿載置面に向かって、圧縮バネ１４０などの弾性部材の弾性力で付勢されていることを特徴とする。
これによれば、原稿搬送時に開閉部材が開いたあと、次の原稿を搬送する前に開閉部材が確実に閉まっているようにできる。原稿搬送前に開いていると搬送する原稿とその上に重なっている原稿を分離することができないことがあるので重送が発生する恐れがある。
【０１２０】
（態様１１）
（態様１０）において、前記開閉機構は、主走査方向などの原稿搬送方向に直交する原稿幅方向の中心位置に対して、前記開閉部材を付勢する複数の弾性部材が略対称に配置されていることを特徴とする。
これによれば、次のような効果をそうすることができる。
弾性部材が原稿幅方向中心に１つだけ配置された構成だと、弾性部材設置位置を中心に弾性部材の回転を許してしまう。このため、開閉時にひっかかりなど何らかの力が搬送手段の片側に発生したときに、片側だけ閉じずに開いたままになってしまうおそれがある。
そこで、２個以上の弾性部材を原稿幅方向中心に対して両側に配置することで開閉部材の動作を開閉方向のみに規制することができるため確実に閉じることができる。
【０１２１】
（態様１２）
（態様１０）又は（態様１１）において、前記弾性部材は、圧縮バネ１４０などの圧縮ばねであることを特徴とする。
これによれば、単純な構成で低コスト、且つ省スペースな原稿搬送補助装置を提供できる。
【０１２２】
（態様１３）
（態様１０）乃至（態様１２）のいずれかにおいて、主走査方向などの原稿搬送方向に直交する原稿幅方向における、前記開閉機構の中心位置と原稿の中心位置は略一致することを特徴とする。
これによれば、原稿搬送時には原稿が開閉機構の下部を通過するので、原稿の原稿幅方向中心位置と開閉機構の原稿幅方向中心が一致しないと原稿を搬送するにあたり無駄な部分が開閉機構の原稿幅方向に存在することになり、その分装置自体が大型化してしまう。
一方、原稿幅方向における、開閉機構の中心位置と原稿の中心位置が略一致するように構成することで、上述した原稿を搬送するにあたり無駄な部分を開閉機構の主走査方向から無くせ、装置自体が大型化することを抑制できる。
【０１２３】
（態様１４）
（態様１０）乃至（態様１３）のいずれかにおいて、前記開閉機構は、前記開閉部材の摺動部、及び前記開閉部材を前記弾性部材による付勢方向にガイドするガイド部材の摺動部の少なくとも一部はＰＯＭ材料で構成されていることを特徴とする原稿搬送補助装置。
これによれば、開閉部材の摺動部、及びガイド部材の摺動部に、摺動性の良いＰＯＭ材料を用いることで開閉時の抵抗を小さくすることができ、開閉動作を安定的に行うことができる。
【０１２４】
（態様１５）
（態様１０）１乃至（態様１４）のいずれかにおいて、前記加圧機構の原稿を押圧する加圧板１１８などの押圧面は、積載されている原稿の最上面に当接し、且つ積載されている原稿の厚さに応じて原稿の厚さ方向に移動可能であることを特徴とする。
これによれば、原稿が搬送もしくは新たに追加され、積載された原稿の厚さが変化しても加圧できる。
【０１２５】
（態様１６）
（態様１５）において、前記加圧機構は、原稿を加圧する加圧力として加圧圧縮バネ１７２などの圧縮ばねの弾性力を用いることを特徴とする。
これによれば、単純な構成で積載原稿に応じて厚さ方向に可動、且つ加圧できるため、コストが安く済み、レイアウト性が良くなる。
【０１２６】
（態様１７）
（態様１５）又は（態様１６）において、前記加圧機構の前記押圧面が原稿を加圧するときの加圧力の合力の作用線と、前記原稿積載部に積載された原稿の重心位置とが略一致することを特徴とする。
これによれば、積載された原稿の被加圧面に対して偏りなく加圧することができる。
【０１２７】
（態様１８）
（態様１５）乃至（態様１７）のいずれかにおいて、前記加圧機構は、加圧機能を有する少なくとも１つの加圧板支持部材１７１などの加圧部品と、前記加圧部品の変位方向を原稿の厚さ方向に規制する加圧カイド部１７３などのガイド部を有しており、前記加圧部品と前記ガイド部の摺動部分はＰＯＭ材料で構成されていることを特徴とする。
これによれば、摺動性の良いＰＯＭ材料を用いることで変位時の抵抗を小さくすることができ、加圧動作を安定的に行うことができる。
【０１２８】
（態様１９）
（態様１５）乃至（態様１８）のいずれかにおいて、前記加圧機構は、原稿を加圧する加圧モードと、原稿載置面を原稿の厚さ方向に伸ばした空間の外に位置する非加圧モードの２つのモードを有することを特徴とする。
これによれば、加圧時は加圧機構が原稿を押さえている状態のため、加圧時は原稿を交換するための空間が少なく、且つ原稿を出し入れするときに大きい力が必要となる。そこで、加圧モードだけでなく、原稿を交換するときのために原稿の載置面を原稿の厚さ方向に伸ばした空間の外に出るように加圧機構を配置するモードも設けることで原稿の出し入れがし易くなる。
【０１２９】
（態様２０）
（態様１９）において、当該原稿搬送補助装置を操作する操作者が、前記加圧機構を、原稿載置面を原稿の厚さ方向に伸ばした空間の外に配置された回動機構１７０の回動軸１７５などの回動軸を中心に回動させることで、前記加圧モードから、前記非加圧モードに切り替わることを特徴とする。
これによれば、非加圧モードに切り替えるときに、加圧機構を原稿の厚さ方向に変位させる方法では、原稿を出し入れし易い高さにするのに変位量が大きくなってしまい、原稿搬送補助装置全体の大きさが大きくなってしまう。
一方、加圧機構を回動軸を中心に回動させる方法では、加圧機構を原稿積載部の横方向にも簡単に変位させることができ、原稿を出し入れし易い状態になるまで上記方法よりも変位量が小さくて済む。このため、原稿搬送補助装置全体の大きさは上記方法ほど大きくならない。
【０１３０】
（態様２１）
（態様２０）において、前記加圧機構は、前記加圧モードの状態から、ねじりコイルばね１７８などのねじりコイルばねの反力で回動して前記非加圧モードの状態に切り替わることを特徴とする。
これによれば、単純な構成で低コスト、且つ省スペースな原稿搬送補助装置を提供できる。
【０１３１】
（態様２２）
（態様１９）乃至（態様２１）のいずれかにおいて、前記加圧モードへの移行は、弾性部材からできた前記加圧機構の外形部に形成した被保持部１８１などの被保持部が変形して、積載ケース１０２に形成した凹部１８２などの加圧機構固定用の凹部又は凸部に保持されることで行われることを特徴とする。
これによれば、所謂、スナップフィット方式を採用することで低コストな構成にできる。
【０１３２】
（態様２３）
（態様１９）乃至（態様２２）のいずれかにおいて、前記加圧機構固定用の凹部又は凸部に保持された前記被保持部の一部に、加圧機構解除ボタン１１４などの保持解除用部品を当接させて前記被保持部を変形させることで前記加圧モードが解除され、前記非加圧モードに切り替わることを特徴とする。
これによれば、加圧モードから非加圧モードへの切り替えを自動的に行うための押しボタン式スイッチを有することで、操作者の使いやすさを向上させることができる。
【０１３３】
（態様２４）
（態様２２）又は（態様２３）において、前記被保持部は、ＡＢＳ樹脂から構成されていることを特徴とする。
これによれば、ＡＢＳ材料は繰り返し曲げ応力に強いため、耐久回数が多くなる。
【０１３４】
（態様２５）
（態様１）乃至（態様２４）のいずれかにおいて、前記原稿積載部の前記原稿載置面上に積載された原稿の近くにアクセス用の孔部１０９などの孔部が形成されており、前記孔部の底面側から、原稿底面部の少なくとも一部が露出していることを特徴とする。
これによれば、操作者が原稿の底面部にアクセスできるように孔部を有することで、載置されている複数の原稿をまとめて取り出すこと、新たな原稿の載置を容易にすることができる。
底面部にアクセスできないと原稿を持ち上げにくい。更に、原稿が１枚ではなく複数の場合、複数原稿が重なったまま取り出せなくなってしまう。
【０１３５】
（態様２６）
（態様２５）において、前記孔部の原稿搬送方向の中央位置は、積載する原稿位置の原稿搬送方向の中央位置と略一致する、又は前記原稿底面部に沿った前記孔部の原稿搬送方向に直交する原稿幅方向の中央位置は、積載する原稿位置の前記原稿幅方向の中央位置と略一致することを特徴とする。
これによれば、原稿の中心部分を支持できるようになることで、操作者が載置されている原稿の取り出し、もしくは新たな原稿の載置を容易にできるようになる。
【０１３６】
（態様２７）
（態様５）乃至（態様２６）のいずれかにおいて、前記原稿搬送用レバーと前記原稿搬送機構をホームポジションに自動で戻す、弾性部材を有し、前記原稿搬送用レバーの最大ストローク量と原稿の原稿搬送方向長さの和から、積載時の原稿搬送方向の原稿後端位置から、前記自動原稿搬送装置の搬送経路上で前記給送口に最も近い第二原稿搬送機構２０４の搬送ローラ対などの搬送ローラのニップ位置までの距離を引いた値が正であり、その値だけ原稿に搬送方向の力を与える部品が搬送方向と逆方向に退避することができ、その退避量は緩衝用に設ける弾性体の弾性領域内であることを特徴とする。
これによれば、原稿先端が自動原稿搬送装置内の搬送ローラに当接したまま押出面が原稿搬送方向と反対方向に逃げることができる。このため、操作者が勢い良くレバーをＭＡＸ位置まで動かしても自動原稿搬送装置内の搬送ローラ、原稿、及び原稿搬送補助装置を構成する部品に大きいダメージを与えないようにできる。
【０１３７】
（態様２８）
（態様１）乃至（態様２７）のいずれかにおいて、前記原稿積載部の原稿を積載する空間を囲む内壁は、原稿搬送方向に直交する原稿幅方向、又は原稿搬送方向の内の少なくともいずれかに平行で互いに対向する内壁の間隔が、原稿の厚さ方向に高くなる程広がるように構成されていることを特徴とする。
これによれば、原稿載置部の内壁にテーパをつけることで積載された原稿が詰まってしまい、底面部の搬送面に接触する位置まで供給されないことを防ぐことができる。また同時に、原稿が載置された空間の入口が広がるため原稿の出し入れがし易くなる。
【０１３８】
（態様２９）
（態様１）乃至（態様２８）のいずれかにおいて、前記原稿積載部の原稿を積載する空間を原稿搬送方向に直交する原稿幅方向に囲む内壁１１２ｗなどの内壁間の距離は、前記原稿幅方向の原稿の長さと略一致することを特徴とする。
これによれば、あらかじめ搬送時に原稿位置をある程度、内壁で規制しておくことができる。これにより、読取装置６などの読取装置に用いる場合には、読取装置でスキャンされる画像のスキュー量を減らすこともできる。
【０１３９】
（態様３０）
（態様１）乃至（態様２９）のいずれかにおいて、前記原稿積載部の原稿を積載する部分よりも原稿搬送方向下流側に設けた原稿搬送部の端部近傍の部分を、前記自動原稿搬送装置の前記給送口近傍の部分に対して凹部と凸部の形状の嵌め合いで位置決めし、且つネジで前記自動原稿搬送装置に取り付けることを特徴とする。
これによれば、原稿搬送補助装置を自動原稿搬送装置に精度よく取り付けることができる。これは、自動原稿搬送装置内の入口ローラのニップ部に原稿を当接しなければならないため、取り付け位置にある程度の精度が必要であるためである。
【０１４０】
（態様３１）
（態様１）乃至（態様３０）のいずれかにおいて、前記自動原稿搬送装置に対して着脱可能に構成されていることを特徴とする。
これによれば、原稿搬送補助装置を用いない場合に取り外して、取り付ける自動原稿搬送装置等の装置を小型化できる。
【０１４１】
（態様３２）
原稿搬送経路５５などの搬送経路の中途部近傍に設けられたカード挿入口７などの給送口に向けてカードＣなどの原稿を搬送する原稿搬送補助手段を備えるＡＤＦ５などの自動原稿搬送装置において、前記原稿搬送補助手段として、（態様１）乃至（態様３１）のいずれかの原稿搬送補助装置１００などの原稿搬送補助装置を備えることを特徴とする。
これによれば、（態様１）乃至（態様３１）のいずれかの原稿搬送補助装置と同様な効果を奏することができる自動原稿搬送装置を提供できる。
【０１４２】
（態様３３）
原稿搬送経路５５などの搬送経路の中途部近傍に設けられたカード挿入口７などの給送口に向けて原稿を搬送する原稿搬送補助手段を備えた読取装置６などの原稿読取装置において、前記原稿搬送補助手段として、（態様１）乃至（態様３１）のいずれかの原稿搬送補助装置１００などの原稿搬送補助装置を備えることを特徴とする。
これによれば、（態様１）乃至（態様３１）のいずれかの原稿搬送補助装置を設ける自動原稿搬送装置と同様な効果を奏することができる原稿読取装置を提供できる。
【０１４３】
（態様３４）
原稿搬送経路５５などの搬送経路の中途部近傍に設けられたカード挿入口７などの給送口に向けて原稿を搬送する原稿搬送補助手段を備える複写機１などの画像形成装置において、前記原稿搬送補助手段として、請求項１乃至３１のいずれかの原稿搬送補助装置１００などの原稿搬送補助装置を備えることを特徴とする。
これによれば、（態様１）乃至（態様３１）のいずれかの原稿搬送補助装置を設ける自動原稿搬送装置と同様な効果を奏することができる画像形成装置を提供できる。
【符号の説明】
【０１４４】
１    複写機
４    画像読取部
５    ＡＤＦ
６    読取装置
７    カード挿入口
６４    手差し原稿搬送経路
１００    原稿搬送補助装置
１０１    加圧機構
１０２    積載ケース
１０５    載置面
１０９    孔部
１１１    カード搬送用レバー
１１２    カード積載部
１１２ｗ  内壁
１１３    カード後端押出部品
１１４    加圧機構解除ボタン
１１５    搬出口
１１８    加圧板
１２０    ゲート部品
１３０    ガイド部
１４０    圧縮バネ
１５０    開閉機構
１６０    原稿搬送機構
１６１    戻し圧縮バネ
１６２    スライド溝部
１６３    押出面
１６７    緩衝用バネ
１７０    回動機構
１７１    加圧板支持部材
１７２    加圧圧縮バネ
１７３    加圧カイド部
１７５    回動軸
１８１    被保持部
１８２    凹部
Ｃ    カード
Ｎ    ニップ部
【先行技術文献】
【特許文献】
【０１４５】
【特許文献１】特開２０１２−２３０４８５号公報
【図１】
2019163126.tif 000003
【図２】
2019163126.tif 000004
【図３】
2019163126.tif 000005
【図４】
2019163126.tif 000006
【図５】
2019163126.tif 000007
【図６】
2019163126.tif 000008
【図７】
2019163126.tif 000009
【図８】
2019163126.tif 000010
【図９】
2019163126.tif 000011
【図１０】
2019163126.tif 000012
【図１１】
2019163126.tif 000013
【図１２】
2019163126.tif 000014
【図１３】
2019163126.tif 000015
【図１４】
2019163126.tif 000016
【図１５】
2019163126.tif 000017
【図１６】
2019163126.tif 000018
【図１７】
2019163126.tif 000019
【図１８】
2019163126.tif 000020
【図１９】
2019163126.tif 000021
【図２０】
2019163126.tif 000022
【図２１】
2019163126.tif 000023
【図２２】
2019163126.tif 000024
【図２３】
2019163126.tif 000025
【図２４】
2019163126.tif 000026
【図２５】
2019163126.tif 000027
【図２６】
2019163126.tif 000028
【図２７】
2019163126.tif 000029
【図２８】
2019163126.tif 000030
【図２９】
2019163126.tif 000031
【図３０】
2019163126.tif 000032
【図３１】
2019163126.tif 000033
【図３２】
2019163126.tif 000034
【図３３】
2019163126.tif 000035
【図３４】
2019163126.tif 000036
【図３５】
2019163126.tif 000037
【図３６】
2019163126.tif 000038
【図３７】
2019163126.tif 000039
【図３８】
2019163126.tif 000040
【図３９】
2019163126.tif 000041
【図４０】
2019163126.tif 000042